(57)【要約】  ユーザにより店舗の利用が可能となる時間枠に応じた店舗の提供情報を柔軟に提供することが可能なサーバ装置等を提供する。本発明に係るサーバ装置は、商品又はサービスを提供する店舗の位置情報、当該店舗の利用時間情報、及び当該店舗の属性情報のうち少なくとも何れか一つを含む店舗情報と、ユーザの空き時間枠を示すユーザ時間枠情報とに基づいて、当該ユーザ時間枠情報に示される時間枠内に前記ユーザが利用可能な前記店舗の組合せを決定する。そして、サーバ装置は、前記決定された組合せにおける前記店舗の提供情報を前記ユーザの端末装置に送信する。
2011115010.tif 000002
【特許請求の範囲】
【請求項１】
端末装置が通信手段を介してアクセス可能なサーバ装置において、
ユーザの空き時間枠を示すユーザ時間枠情報を取得する時間枠情報取得手段と、
商品又はサービスを提供する店舗の位置情報、当該店舗の利用時間情報、及び当該店舗の属性情報のうち少なくとも何れか一つを含む店舗情報と、当該店舗からの提供情報とを店舗毎に記憶する店舗情報記憶手段に記憶された各前記店舗の店舗情報と、前記取得されたユーザ時間枠情報とに基づいて、当該ユーザ時間枠情報に示される時間枠内に前記ユーザが利用可能な前記店舗の組合せを決定する店舗組合せ決定手段と、
前記決定された組合せにおける前記店舗の提供情報を前記ユーザの端末装置に送信する提供情報送信手段と、を備えることを特徴とするサーバ装置。
【請求項２】
請求項１に記載のサーバ装置において、
前記店舗情報記憶手段は、店舗の空き時間枠を示す店舗時間枠情報をさらに記憶し、
前記店舗組合せ決定手段は、前記取得されたユーザ時間枠情報で示される前記ユーザの空き時間枠と、前記店舗時間枠情報で示される前記店舗の空き時間枠とに基づいて、前記ユーザの空き時間枠の少なくとも一部が重なる前記店舗の空き時間枠を有する前記店舗の組合せを決定することを特徴とするサーバ装置。
【請求項３】
請求項１又は２に記載のサーバ装置において、
前記ユーザの属性情報を取得する属性情報取得手段と、
前記取得された属性情報に基づいて、前記店舗の利用時間情報を設定する利用時間情報設定手段と、
を更に備え、
前記店舗組合せ決定手段は、前記取得されたユーザ時間枠情報と、前記設定された前記店舗の利用時間情報に基づいて、前記時間枠内に前記ユーザが利用可能な前記店舗の組合せを決定することを特徴とするサーバ装置。
【請求項４】
請求項１又は２に記載のサーバ装置において、
前記ユーザによる過去の店舗の利用履歴情報を取得する利用履歴情報取得手段と、
前記取得された利用履歴情報に基づいて、前記店舗の利用時間情報を設定する利用時間情報設定手段と、
を更に備え、
前記店舗組合せ決定手段は、前記取得されたユーザ時間枠情報と、前記設定された前記店舗の利用時間情報に基づいて、前記時間枠内に前記ユーザが利用可能な前記店舗の組合せを決定することを特徴とするサーバ装置。
【請求項５】
請求項１乃至４の何れか一項に記載のサーバ装置において、
前記ユーザのスケジュール情報を取得するスケジュール情報取得手段を備え、
前記時間枠情報取得手段は、前記取得されたスケジュール情報から所定の条件を満たす前記ユーザ時間枠情報を所定のタイミングで取得することを特徴とするサーバ装置。
【請求項６】
請求項１乃至５の何れか一項に記載のサーバ装置において、
前記ユーザの位置情報を前記端末装置から取得する位置情報取得手段を備え、
前記店舗組合せ決定手段は、前記取得されたユーザ時間枠情報と、前記取得されたユーザの位置情報と、前記店舗の位置情報に基づいて、前記時間枠内に前記ユーザが利用可能な前記店舗の組合せを決定することを特徴とするサーバ装置。
【請求項７】
請求項１乃至６の何れか一項に記載のサーバ装置において、
前記ユーザが移動するエリアを示すエリア情報を取得するエリア情報取得手段を備え、
前記店舗組合せ決定手段は、前記取得されたユーザ時間枠情報と、前記取得されたエリア情報と、前記店舗の位置情報に基づいて、前記時間枠内に前記ユーザが利用可能な前記店舗の組合せを決定することを特徴とするサーバ装置。
【請求項８】
請求項１乃至７の何れか一項に記載のサーバ装置において、
前記ユーザが複数の店舗を利用する目的、テーマ、及びジャンルのうち少なくとも何れか一つを含む利用条件情報を取得する利用条件情報取得手段を備え、
前記店舗組合せ決定手段は、前記取得されたユーザ時間枠情報と、前記取得された利用条件情報と、前記店舗の属性情報に基づいて、前記時間枠内に前記ユーザが利用可能な前記店舗の組合せを決定することを特徴とするサーバ装置。
【請求項９】
請求項１乃至８の何れか一項に記載のサーバ装置において、
前記ユーザが前記時間枠内で初めに利用を望む店舗を示す出発店舗情報を取得する出発店舗情報取得手段を備え、
前記店舗組合せ決定手段は、前記取得された出発店舗情報に示される店舗を出発店舗として含む前記店舗の組合せを決定することを特徴とするサーバ装置。
【請求項１０】
請求項１乃至９の何れか一項に記載のサーバ装置において、
前記店舗組合せ決定手段は、所定時間経過後に前記時間枠における残り時間内に前記ユーザが利用可能な前記店舗の組合せを再決定し、
前記提供情報送信手段は、前記再決定された組合せにおける前記店舗の提供情報を前記ユーザの端末装置に送信することを特徴とするサーバ装置。
【請求項１１】
請求項１０に記載のサーバ装置において、
前記決定された組合せにおける前記店舗の前記提供情報の利用を認識する利用認識手段と、
前記認識された利用の時刻と前記時間枠とから前記残り時間を算出する残り時間算出手段と、
を備え、
前記店舗組合せ決定手段は、前記残り時間を算出するタイミングで当該残り時間内に前記ユーザが利用可能な前記店舗の組合せを再決定することを特徴とするサーバ装置。
【請求項１２】
請求項１乃至１１の何れか一項に記載のサーバ装置において、
前記提供情報は、前記店舗からユーザが受けられる特典を示す特典情報であることを特徴とするサーバ装置。
【請求項１３】
端末装置が通信手段を介してアクセス可能なサーバ装置に含まれるコンピュータを、
ユーザの空き時間枠を示すユーザ時間枠情報を取得する時間枠情報取得手段、
商品又はサービスを提供する店舗の位置情報、当該店舗の利用時間情報、及び当該店舗の属性情報のうち少なくとも何れか一つを含む店舗情報と、当該店舗からの提供情報とを店舗毎に記憶する店舗情報記憶手段に記憶された各前記店舗の店舗情報と、前記取得されたユーザ時間枠情報とに基づいて、当該ユーザ時間枠情報に示される時間枠内に前記ユーザが利用可能な前記店舗の組合せを決定する店舗組合せ決定手段、及び
前記決定された組合せにおける前記店舗の提供情報を前記ユーザの端末装置に送信する提供情報送信手段として機能させることを特徴とする情報提供プログラム。
【請求項１４】
端末装置が通信手段を介してアクセス可能なサーバ装置に含まれるコンピュータを、
ユーザの空き時間枠を示すユーザ時間枠情報を取得する時間枠情報取得手段、
商品又はサービスを提供する店舗の位置情報、当該店舗の利用時間情報、及び当該店舗の属性情報のうち少なくとも何れか一つを含む店舗情報と、当該店舗からの提供情報とを店舗毎に記憶する店舗情報記憶手段に記憶された各前記店舗の店舗情報と、前記取得されたユーザ時間枠情報とに基づいて、当該ユーザ時間枠情報に示される時間枠内に前記ユーザが利用可能な前記店舗の組合せを決定する店舗組合せ決定手段、及び
前記決定された組合せにおける前記店舗の提供情報を前記ユーザの端末装置に送信する提供情報送信手段として機能させる情報提供プログラムが記録された記録媒体。
【請求項１５】
端末装置が通信手段を介してアクセス可能なサーバ装置おける情報提供方法であって、
前記サーバ装置が、ユーザの空き時間枠を示すユーザ時間枠情報を取得するステップと、
前記サーバ装置が、商品又はサービスを提供する店舗の位置情報、当該店舗の利用時間情報、及び当該店舗の属性情報のうち少なくとも何れか一つを含む店舗情報と、当該店舗からの提供情報とを店舗毎に記憶する店舗情報記憶手段に記憶された各前記店舗の店舗情報と、前記取得されたユーザ時間枠情報とに基づいて、当該ユーザ時間枠情報に示される時間枠内に前記ユーザが利用可能な前記店舗の組合せを決定するステップと、
前記サーバ装置が、前記決定された組合せにおける前記店舗の提供情報を前記ユーザの端末装置に送信するステップと、
を含むことを特徴とする情報提供方法。
【請求項１６】
商品又はサービスを提供する店舗の位置情報、当該店舗の利用時間情報、及び当該店舗の属性情報のうち少なくとも何れか一つを含む店舗情報を、通信手段を介してサーバ装置から店舗毎に取得する店舗情報取得手段と、
ユーザの空き時間枠を示すユーザ時間枠情報を取得する時間枠情報取得手段と、
前記取得されたユーザ時間枠情報と、前記取得された各前記店舗の店舗情報に基づいて、当該ユーザ時間枠情報に示される時間枠内に前記ユーザが利用可能な前記店舗の組合せを決定する店舗組合せ決定手段と、
前記決定された組合せにおける前記店舗の提供情報を表示させる表示制御手段と、を備えることを特徴とする端末装置。
【請求項１７】
端末装置に含まれるコンピュータを、
商品又はサービスを提供する店舗の位置情報、当該店舗の利用時間情報、及び当該店舗の属性情報のうち少なくとも何れか一つを含む店舗情報を、通信手段を介してサーバ装置から店舗毎に取得する店舗情報取得手段、
ユーザの空き時間枠を示すユーザ時間枠情報を取得する時間枠情報取得手段、
前記取得されたユーザ時間枠情報と、前記取得された各前記店舗の店舗情報に基づいて、当該ユーザ時間枠情報に示される時間枠内に前記ユーザが利用可能な前記店舗の組合せを決定する店舗組合せ決定手段、及び
前記決定された組合せにおける前記店舗の提供情報を表示させる表示制御手段として機能させることを特徴とする端末用プログラム。
【請求項１８】
端末装置に含まれるコンピュータを、
商品又はサービスを提供する店舗の位置情報、当該店舗の利用時間情報、及び当該店舗の属性情報のうち少なくとも何れか一つを含む店舗情報を、通信手段を介してサーバ装置から店舗毎に取得する店舗情報取得手段、
ユーザの空き時間枠を示すユーザ時間枠情報を取得する時間枠情報取得手段、
前記取得されたユーザ時間枠情報と、前記取得された各前記店舗の店舗情報に基づいて、当該ユーザ時間枠情報に示される時間枠内に前記ユーザが利用可能な前記店舗の組合せを決定する店舗組合せ決定手段、及び
前記決定された組合せにおける前記店舗の提供情報を表示させる表示制御手段として機能させる端末用プログラムが記録された記録媒体。
【発明の詳細な説明】
【技術分野】
【０００１】
本発明は、ネットワークを利用してユーザの端末に、店舗からの提供情報を提供する技術の分野に関する。
【背景技術】
【０００２】
従来より、ネットワークを利用してユーザの端末に、商品やサービスの割引等の特典が受けられる電子クーポンを配信する技術が知られている。例えば、特許文献１には、ユーザにより使用される携帯電話機やＰＤＡ等の携帯端末が、電子クーポン管理装置により発行された電子クーポンをダウンロードする技術が開示されている。このような電子クーポンは、ユーザにとって有用な提供情報である。
【先行技術文献】
【特許文献】
【０００３】
【特許文献１】特開２００３−００６５４３号公報
【発明の概要】
【発明が解決しようとする課題】
【０００４】
ところで、上述したような従来の技術により、多くの店舗から提供される電子クーポン等の提供情報をユーザの端末に簡単に提供できる。【０００５】
しかしながら、従来の技術では、ユーザにより店舗の利用が可能となる空き時間枠を考慮して店舗の提供情報を柔軟に提供することは困難であった。【０００６】
本発明は、以上の点等に鑑みてなされたものであり、ユーザにより店舗の利用が可能となる時間枠に応じた店舗の提供情報を柔軟に提供することが可能な情報提供プログラムが記録された記録媒体、情報提供方法、端末装置、端末用プログラム、及び端末用プログラムが記録された記録媒体を提供することを目的とする。
【課題を解決するための手段】
【０００７】
上記課題を解決するために、請求項１に記載の発明は、端末装置が通信手段を介してアクセス可能なサーバ装置において、ユーザの空き時間枠を示すユーザ時間枠情報を取得する時間枠情報取得手段と、商品又はサービスを提供する店舗の位置情報、当該店舗の利用時間情報、及び当該店舗の属性情報のうち少なくとも何れか一つを含む店舗情報と、当該店舗からの提供情報とを店舗毎に記憶する店舗情報記憶手段に記憶された各前記店舗の店舗情報と、前記取得されたユーザ時間枠情報とに基づいて、当該ユーザ時間枠情報に示される時間枠内に前記ユーザが利用可能な前記店舗の組合せを決定する店舗組合せ決定手段と、前記決定された組合せにおける前記店舗の提供情報を前記ユーザの端末装置に送信する提供情報送信手段と、を備えることを特徴とする。【０００８】
この発明によれば、ユーザに対して、店舗の利用が可能となる時間枠に応じた店舗の提供情報を柔軟に提供することができる。【０００９】
請求項２に記載の発明は、請求項１に記載のサーバ装置において、前記店舗情報記憶手段は、店舗の空き時間枠を示す店舗時間枠情報をさらに記憶し、前記店舗組合せ決定手段は、前記取得されたユーザ時間枠情報で示される前記ユーザの空き時間枠と、前記店舗時間枠情報で示される前記店舗の空き時間枠とに基づいて、前記ユーザの空き時間枠の少なくとも一部が重なる前記店舗の空き時間枠を有する前記店舗の組合せを決定することを特徴とする。【００１０】
この発明によれば、ユーザの空き時間と店舗の空き時間とをマッチングさせることができ、ユーザがより利用し易い提供情報を柔軟に提供することができる。【００１１】
請求項３に記載の発明は、請求項１又は２に記載のサーバ装置において、前記ユーザの属性情報を取得する属性情報取得手段と、前記取得された属性情報に基づいて、前記店舗の利用時間情報を設定する利用時間情報設定手段と、を更に備え、前記店舗組合せ決定手段は、前記取得されたユーザ時間枠情報と、前記設定された前記店舗の利用時間情報に基づいて、前記時間枠内に前記ユーザが利用可能な前記店舗の組合せを決定することを特徴とする。【００１２】
この発明によれば、ユーザの属性に合った店舗を含む店舗の組合せを決定することができるので、ユーザは上記時間枠で自身の属性に合った複数の店舗を利用することが可能となる。【００１３】
請求項４に記載の発明は、請求項１又は２に記載のサーバ装置において、前記ユーザによる過去の店舗の利用履歴情報を取得する利用履歴情報取得手段と、前記取得された利用履歴情報に基づいて、前記店舗の利用時間情報を設定する利用時間情報設定手段と、を更に備え、前記店舗組合せ決定手段は、前記取得されたユーザ時間枠情報と、前記設定された前記店舗の利用時間情報に基づいて、前記時間枠内に前記ユーザが利用可能な前記店舗の組合せを決定することを特徴とする。【００１４】
この発明によれば、ユーザの過去の利用履歴に合った店舗を含む店舗の組合せを決定することができるので、ユーザは空き時間枠で過去に利用した複数の店舗を優先して利用することが可能となる。【００１５】
請求項５に記載の発明は、請求項１乃至４の何れか一項に記載のサーバ装置において、前記ユーザのスケジュール情報を取得するスケジュール情報取得手段を備え、前記時間枠情報取得手段は、前記取得されたスケジュール情報から所定の条件を満たす前記ユーザ時間枠情報を所定のタイミングで取得することを特徴とする。【００１６】
この発明によれば、ユーザに対して、店舗の利用が可能となる時間枠に応じた店舗の提供情報を、よりタイムリーに提供することができる。【００１７】
請求項６に記載の発明は、請求項１乃至５の何れか一項に記載のサーバ装置において、前記ユーザの位置情報を前記端末装置から取得する位置情報取得手段を備え、前記店舗組合せ決定手段は、前記取得されたユーザ時間枠情報と、前記取得されたユーザの位置情報と、前記店舗の位置情報に基づいて、前記時間枠内に前記ユーザが利用可能な前記店舗の組合せを決定することを特徴とする。【００１８】
この発明によれば、ユーザの現在位置を考慮した店舗を含む店舗の組合せを決定することができるので、ユーザは時間枠で今から行き易い店舗から利用することが可能となる。【００１９】
請求項７に記載の発明は、請求項１乃至６の何れか一項に記載のサーバ装置において、前記ユーザが移動するエリアを示すエリア情報を取得するエリア情報取得手段を備え、前記店舗組合せ決定手段は、前記取得されたユーザ時間枠情報と、前記取得されたエリア情報と、前記店舗の位置情報に基づいて、前記時間枠内に前記ユーザが利用可能な前記店舗の組合せを決定することを特徴とする。【００２０】
この発明によれば、ユーザが指定したエリアを考慮した店舗を含む店舗の組合せを決定することができるので、ユーザは時間枠で今から回遊したい地域における複数の店舗を利用することが可能となる。【００２１】
請求項８に記載の発明は、請求項１乃至７の何れか一項に記載のサーバ装置において、前記ユーザが複数の店舗を利用する目的、テーマ、及びジャンルのうち少なくとも何れか一つを含む利用条件情報を取得する利用条件情報取得手段を備え、前記店舗組合せ決定手段は、前記取得されたユーザ時間枠情報と、前記取得された利用条件情報と、前記店舗の属性情報に基づいて、前記時間枠内に前記ユーザが利用可能な前記店舗の組合せを決定することを特徴とする。この発明によれば、ユーザにより指定された目的、テーマ、及びジャンルのうち少なくとも何れか一つに合った店舗を含む店舗の組合せを決定することができるので、ユーザは時間枠で自身の嗜好に合った複数の店舗を利用することが可能となる。【００２２】
請求項９に記載の発明は、請求項１乃至８の何れか一項に記載のサーバ装置において、前記ユーザが前記時間枠内で初めに利用を望む店舗を示す出発店舗情報を取得する出発店舗情報取得手段を備え、前記店舗組合せ決定手段は、前記取得された出発店舗情報に示される店舗を出発店舗として含む前記店舗の組合せを決定することを特徴とする。この発明によれば、ユーザが初めに行きたい店舗を出発店舗として含む店舗の組合せを決定することができるので、ユーザは時間枠で初めに行きたい店舗から利用することが可能となる。【００２３】
請求項１０に記載の発明は、請求項１乃至９の何れか一項に記載のサーバ装置において、前記店舗組合せ決定手段は、所定時間経過後に前記時間枠における残り時間内に前記ユーザが利用可能な前記店舗の組合せを再決定し、前記提供情報送信手段は、前記再決定された組合せにおける前記店舗の提供情報を前記ユーザの端末装置に送信することを特徴とする。この発明によれば、ユーザが提供情報に係る１以上の店舗を利用することにより時間が経過しユーザの現在位置等の状況が変化した場合であっても、当該ユーザに対して、残り時間に応じた店舗の提供情報をより柔軟に提供することができる。【００２４】
請求項１１に記載の発明は、請求項１０に記載のサーバ装置において、前記決定された組合せにおける前記店舗の前記提供情報の利用を認識する利用認識手段と、前記認識された利用の時刻と前記時間枠とから前記残り時間を算出する残り時間算出手段と、を備え、前記店舗組合せ決定手段は、前記残り時間を算出するタイミングで当該残り時間内に前記ユーザが利用可能な前記店舗の組合せを再決定することを特徴とする。この発明によれば、ユーザに対して、上記残り時間を算出するタイミングで該残り時間に応じた店舗の提供情報をより柔軟に提供することができる。【００２５】
請求項１２に記載の発明は、請求項１乃至１１の何れか一項に記載のサーバ装置において、前記提供情報は、前記店舗からユーザが受けられる特典を示す特典情報であることを特徴とする。この発明によれば、ユーザは店舗において商品やサービスに対する支払いの際に割引等の特典を受けることができるので店舗を利用する意欲が増し、店舗側はより多くの顧客を集客することができる。【００２６】
請求項１３に記載の発明は、端末装置が通信手段を介してアクセス可能なサーバ装置に含まれるコンピュータを、ユーザの空き時間枠を示すユーザ時間枠情報を取得する時間枠情報取得手段、商品又はサービスを提供する店舗の位置情報、当該店舗の利用時間情報、及び当該店舗の属性情報のうち少なくとも何れか一つを含む店舗情報と、当該店舗からの提供情報とを店舗毎に記憶する店舗情報記憶手段に記憶された各前記店舗の店舗情報と、前記取得されたユーザ時間枠情報とに基づいて、当該ユーザ時間枠情報に示される時間枠内に前記ユーザが利用可能な前記店舗の組合せを決定する店舗組合せ決定手段、及び前記決定された組合せにおける前記店舗の提供情報を前記ユーザの端末装置に送信する提供情報送信手段として機能させることを特徴とする情報提供プログラム（コンピュータ読み取り可能なプログラム）である。【００２７】
請求項１４に記載の発明は、端末装置が通信手段を介してアクセス可能なサーバ装置に含まれるコンピュータを、ユーザの空き時間枠を示すユーザ時間枠情報を取得する時間枠情報取得手段、商品又はサービスを提供する店舗の位置情報、当該店舗の利用時間情報、及び当該店舗の属性情報のうち少なくとも何れか一つを含む店舗情報と、当該店舗からの提供情報とを店舗毎に記憶する店舗情報記憶手段に記憶された各前記店舗の店舗情報と、前記取得されたユーザ時間枠情報とに基づいて、当該ユーザ時間枠情報に示される時間枠内に前記ユーザが利用可能な前記店舗の組合せを決定する店舗組合せ決定手段、及び前記決定された組合せにおける前記店舗の提供情報を前記ユーザの端末装置に送信する提供情報送信手段として機能させる情報提供プログラムが記録された記録媒体である。【００２８】
請求項１５に記載の発明は、端末装置が通信手段を介してアクセス可能なサーバ装置おける情報提供方法であって、前記サーバ装置が、ユーザの空き時間枠を示すユーザ時間枠情報を取得するステップと、前記サーバ装置が、商品又はサービスを提供する店舗の位置情報、当該店舗の利用時間情報、及び当該店舗の属性情報のうち少なくとも何れか一つを含む店舗情報と、当該店舗からの提供情報とを店舗毎に記憶する店舗情報記憶手段に記憶された各前記店舗の店舗情報と、前記取得されたユーザ時間枠情報とに基づいて、当該ユーザ時間枠情報に示される時間枠内に前記ユーザが利用可能な前記店舗の組合せを決定するステップと、前記サーバ装置が、前記決定された組合せにおける前記店舗の提供情報を前記ユーザの端末装置に送信するステップと、を含むことを特徴とする。【００２９】
請求項１６に記載の発明は、商品又はサービスを提供する店舗の位置情報、当該店舗の利用時間情報、及び当該店舗の属性情報のうち少なくとも何れか一つを含む店舗情報を、通信手段を介してサーバ装置から店舗毎に取得する店舗情報取得手段と、ユーザの空き時間枠を示すユーザ時間枠情報を取得する時間枠情報取得手段と、前記取得されたユーザ時間枠情報と、前記取得された各前記店舗の店舗情報に基づいて、当該ユーザ時間枠情報に示される時間枠内に前記ユーザが利用可能な前記店舗の組合せを決定する店舗組合せ決定手段と、前記決定された組合せにおける前記店舗の提供情報を表示させる表示制御手段と、を備えることを特徴とする。【００３０】
請求項１７に記載の発明は、端末装置に含まれるコンピュータを、商品又はサービスを提供する店舗の位置情報、当該店舗の利用時間情報、及び当該店舗の属性情報のうち少なくとも何れか一つを含む店舗情報を、通信手段を介してサーバ装置から店舗毎に取得する店舗情報取得手段、ユーザの空き時間枠を示すユーザ時間枠情報を取得する時間枠情報取得手段、前記取得されたユーザ時間枠情報と、前記取得された各前記店舗の店舗情報に基づいて、当該ユーザ時間枠情報に示される時間枠内に前記ユーザが利用可能な前記店舗の組合せを決定する店舗組合せ決定手段、及び前記決定された組合せにおける前記店舗の提供情報を表示させる表示制御手段として機能させることを特徴とする端末用プログラム（コンピュータ読み取り可能なプログラム）である。【００３１】
請求項１８に記載の発明は、端末装置に含まれるコンピュータを、商品又はサービスを提供する店舗の位置情報、当該店舗の利用時間情報、及び当該店舗の属性情報のうち少なくとも何れか一つを含む店舗情報を、通信手段を介してサーバ装置から店舗毎に取得する店舗情報取得手段、ユーザの空き時間枠を示すユーザ時間枠情報を取得する時間枠情報取得手段、前記取得されたユーザ時間枠情報と、前記取得された各前記店舗の店舗情報に基づいて、当該ユーザ時間枠情報に示される時間枠内に前記ユーザが利用可能な前記店舗の組合せを決定する店舗組合せ決定手段、及び前記決定された組合せにおける前記店舗の提供情報を表示させる表示制御手段として機能させる端末用プログラムが記録された記録媒体である。
【発明の効果】
【００３２】
本発明によれば、ユーザに対して、店舗の利用が可能となる時間枠に応じた店舗の提供情報を柔軟に提供することができる。
【図面の簡単な説明】
【００３３】
【図１】本実施形態に係る情報提供システムＳの概要構成の一例を示す図である。
【図２】携帯端末１の概要構成例を示すブロック図である。
【図３】情報提供サーバ３の概要構成例を示すブロック図である。
【図４】各種データベースに登録される内容の一例を示す図である。
【図５】店舗毎の属性情報、利用時間情報、及び店舗時間枠情報の一例を示す
【図６】携帯端末１と情報提供サーバ３における処理及び情報のやり取りを示すシーケンス図である。
【図７】表示部１５上に表示されたユーザ指定画面の一例である。
【図８】図６に示すステップＳ７における店舗の組合せ決定処理の一例を示すフローチャートである。
【図９】（Ａ）は、図８に示すステップＳ８０における再絞り込み処理の一例を示すフローチャートであり、（Ｂ）は、図８に示すステップＳ８２における再絞り込み処理の一例を示すフローチャートであり、（Ｃ）は、図８に示すステップＳ８５における予想時刻算出処理の一例を示すフローチャートである。
【図１０】情報提供サーバ３のシステム制御部３３における提供情報の更新処理を示すフローチャートである。
【発明を実施するための形態】
【００３４】
以下、図面を参照して本発明の実施形態について詳細に説明する。なお、以下に説明する実施の形態は、情報提供システムに対して本発明を適用した場合の実施形態である。
【００３５】
［１．情報提供システムの構成及び機能概要］
先ず、本実施形態に係る情報提供システムＳの構成及び概要機能について、図１を用いて説明する。
【００３６】
図１は、本実施形態に係る情報提供システムＳの概要構成の一例を示す図である。図１に示すように、情報提供システムＳは、携帯端末１と、店舗端末２と、携帯端末１及び店舗端末２が通信手段としてのネットワークＮＷを介してアクセス可能な情報提供サーバ３と、を備えて構成されている。なお、携帯端末１は、本発明の端末装置の一例である。また、情報提供サーバ３は、サーバ装置の一例である。
【００３７】
携帯端末１と情報提供サーバ３、並びに店舗端末２と情報提供サーバ３とは、ネットワークＮＷを介して相互にデータの送受信が可能になっている。なお、ネットワークＮＷは、例えば、インターネット、専用通信回線（例えば、ＣＡＴＶ（Community Antenna Television）回線）、移動体通信網、及びゲートウェイ等により構築されている。
【００３８】
［１−１．携帯端末１の構成及び機能概要］
図２は、携帯端末１の概要構成例を示すブロック図である。
【００３９】
図２に示すように、携帯端末１は、通信部１１、記憶部１２、ＧＰＳ(Global Positioning System)受信機１３、操作部１４、表示部１５、及び制御部１６等を備えている。なお、携帯端末１には、例えば、携帯電話機、ＰＤＡ（Personal Digital Assistant）、携帯ゲーム機等が適用できる。
【００４０】
通信部１１は、無線基地局を介してネットワークＮＷに接続するための通信回路を備えている。
【００４１】
記憶部１２は、例えばフラッシュメモリ等から構成されており、ここにはＯＳ（オペレーティングシステム）及び各種アプリケーションプログラム（ソフトウェア）、並びに各種データが記憶されている。このアプリケーションプログラムには、情報提供サーバ３から店舗からの提供情報を取得及び管理するための端末用プログラム（以下、「提供情報取得及び管理プログラム」という）、及び携帯端末１のユーザのスケジュール（予定）情報を管理するプログラム（以下、「スケジューラ」という）等が含まれる。また、記憶部１２には、スケジューラの実行中に登録されたスケジュール情報が記憶される。なお、本発明の端末用プログラムは、例えば、他のサーバ装置等からネットワークＮＷを介して取得されるようにしても良いし、記録媒体に記録されてドライブ装置を介して読み込まれるようにしても良い。
【００４２】
ＧＰＳ受信機１３は、ＧＰＳ衛星から出力される航法電波をアンテナを介して受信し、携帯端末１の現在位置（例えば経度及び緯度）を検出する。
【００４３】
操作部１４は、ユーザからの操作指示を受け付ける。表示部１５は、各種情報を表示する。
【００４４】
制御部１６は、例えば、ＣＰＵ（Central Processing Unit），ＲＡＭ（Random Access Memory），ＲＯＭ（Read Only Memory）等を有する。制御部１６は、ＣＰＵがＯＳ実行の下、ユーザによる操作指示に応じて提供情報取得及び管理プログラムを起動することにより通信部１１を通じて情報提供サーバ３にアクセス（例えば情報提供サーバ３のＩＰ（Internet Protocol）アドレス又はＵＲＬ（Uniform Resource Locator）に基づき接続）する。その後、制御部１６は、ユーザにより店舗の利用が可能となる時間枠（言い換えれば、ユーザの空き時間枠）を示すユーザ時間枠情報を含む情報取得要求をネットワークＮＷを介して情報提供サーバ３に送信する。なお、情報取得要求には、携帯端末１のユーザを識別するためのユーザＩＤ（識別情報）も含まれる。また、時間枠は、現時点からの時間長（例えば、３時間）であるか、或いは、何時（時刻）から何時までという時間帯（例えば、１８時００分〜２１時００分）である。また、時間枠は、例えば、ユーザにより操作部１４から指定されるか、或いは、上記スケジュール情報から取得される。
【００４５】
そして、制御部１６は、上記情報取得要求に応じて情報提供サーバ３により上記ユーザ時間枠情報等に基づき決定された店舗の組合せにおける各店舗の提供情報を、該情報提供サーバ３から取得し、例えば表示部１５上に表示（ユーザに提示）する。
【００４６】
なお、制御部１６は、情報提供サーバ３に店舗の組合せを決定させるための情報として、上記ユーザ時間枠情報以外にも、ユーザの位置情報、エリア情報、及び利用条件情報のうち少なくとも何れか一つをユーザ時間枠情報と共に情報取得要求に含め、ネットワークＮＷを介して情報提供サーバ３に送信するように構成しても良い。ユーザの位置情報は、例えば、ＧＰＳ受信機１３により携帯端末１の現在位置として検出される。また、エリア情報は、ユーザが店舗を利用するために移動（回遊）するエリア（以下、「移動エリア」という）を示す情報であり、例えば、ユーザにより操作部１４から指定される。また、利用条件情報は、ユーザが複数の店舗を利用する目的、テーマ、及びジャンルのうち少なくとも何れか一つを含む情報であり、例えば、ユーザにより操作部１４から指定される。
【００４７】
［１−２．情報提供サーバ３の構成及び機能概要］
図３は、情報提供サーバ３の概要構成例を示すブロック図である。
【００４８】
図３に示すように、情報提供サーバ３は、通信部３１、記憶部３２、及びシステム制御部３３等を備えている。なお、情報提供サーバ３は、一つのサーバから構成されても良いし、複数のサーバ群から構成されても良い。
【００４９】
記憶部３２（記憶手段の一例）は、例えばハードディスクドライブ等により構成されており、ここにはＯＳ及びの各種プログラム（本発明の情報提供プログラム及びＷｅｂサーバプログラム等）及び各種データを記憶する。なお、本発明の情報提供プログラムは、例えば、他のサーバ装置等からネットワークＮＷを介して取得されるようにしても良いし、記録媒体に記録されてドライブ装置を介して読み込まれるようにしても良い。
【００５０】
また、記憶部３２には、ユーザ情報データベース（ＤＢ）３２１、地図データベース（ＤＢ）３２２、店舗情報データベース（ＤＢ）３２３、及び提供情報データベース（ＤＢ）３２４等が構築されている。
【００５１】
図４は、各種データベースに登録される内容の一例を示す図である。図４（Ａ）に示すユーザ情報データベース３２１には、会員登録されたユーザのユーザＩＤ、パスワード、クレジットカード番号、氏名、性別、年齢、住所（ユーザの勤務地の住所でも良い）、郵便番号、電話番号、メールアドレス、及び利用履歴情報等のユーザ情報がユーザ毎に対応付けられて登録（記憶）されている。ここで、ユーザＩＤ、パスワード、クレジットカード番号、氏名、性別、年齢、住所、電話番号、及びメールアドレスは、例えば、携帯端末１等から情報提供サーバ３にアクセスして会員登録手続を経ることにより登録される。なお、性別及び年齢は、ユーザの属性情報の一例である。
【００５２】
また、利用履歴情報は、ユーザにより過去に利用（商品の購入やサービスの享受）された店舗の店舗ＩＤ（店舗を識別するための識別情報）、利用時間、及び決済に関する情報等の利用履歴が含まれている。この利用履歴情報は、例えば、ユーザが利用した店舗における決済において情報提供サーバ３により実行される決済処理で登録される。また、決済に関する情報には、決済（支払い）の種類、購入された商品の商品ＩＤ等の情報が含まれる。ここで、決済の種類には、例えば、クレジットカードを用いた決済（以下、「クレジットカード決済」という）、電子マネーを用いた決済（以下、「電子マネー決済」という）、又はクーポンを利用した決済（以下、「クーポン決済」という）が挙げられる。なお、電子マネー決済には、オンライン方式（電子マネーのサービス会社のホストコンピュータと、店舗の端末をオンラインで接続し決済を行う方式）の決済と、オフライン方式（例えば、電子マネーを格納したＩＣチップを搭載する携帯端末又はＩＣカードと店舗の端末によりオフラインで決済を行う方式）の決済がある。また、クーポンには、電子データからなるクーポン（電子クーポン）、及び紙媒体からなるクーポン等がある。このようなクーポンは、電子マネーと同様の貨幣価値があり、当該クーポンのみでの決済又は現金、クレジットカード、電子マネー等と組み合わせた決済に利用することができる。
【００５３】
図４（Ｂ）に示す地図データベース３２２には、地図を表すための地図データが登録されている。地図データには、店舗等の施設、土地区画（行政区画）、道路等を表す地図画像データと、地図画像上の各地点の経度及び緯度、住所、及び郵便番号等の情報とが含まれる。
【００５４】
図４（Ｃ）に示す店舗情報データベース３２３には、商品又はサービスを提供する店舗の店舗ＩＤ、店舗名、住所、郵便番号、電話番号、メールアドレス、経度及び緯度、属性情報、及び利用時間情報等の店舗情報が店舗毎に対応付けられて登録されている。ここで、店舗の経度及び緯度、或いは住所又は郵便番号は、店舗の位置情報の一例である。また、店舗の属性情報の例としては、エステ、ネイル、和食、洋食、洋服、靴、カバン、アクセサリ、ジュエリー、ゲーム、書籍、家電、ゴルフ、携帯電話、レンタルＤＶＤ、癒し、美容、食事、ショッピング、グルメ、男性用、女性用、未成年者利用不可等が挙げられる。なお、店舗の属性情報は、店舗を表すキーワードでもあり店舗側で設定される。
【００５５】
また、利用時間情報には、例えば店舗を利用可能な時間枠や、サービスを提供する店舗の場合その利用時間（長さ）が含まれる。店舗を利用可能な時間枠は、例えば、ある時点（例えば、情報提供サーバ３が携帯端末１から情報取得要求を受信した時点）からの時間長であるか、或いは、何時から何時までという時間帯である。店舗を利用可能な時間枠の例としては、開店から閉店までの時間帯、世代毎の利用時間帯、及び性別毎の利用時間等が挙げられる。世代毎の利用時間帯、及び性別毎の利用時間は、例えば当該属性を有するユーザの利用履歴や店舗側での事前調査により設定される。このような時間枠を示す利用時間情報は、例えば、店舗の端末から情報提供サーバ３へ店舗による会員登録時や事前調査時等にアップロードされ、店舗情報データベース３２３に登録される。
【００５６】
更に、図４（Ｃ）に示す店舗情報データベース３２３には、店舗の空き時間枠を示す店舗時間枠情報が店舗毎に対応付けられて登録されている。店舗の空き時間枠は、日や時間によって変動する時間枠である。店舗の空き時間枠の例としては、開店から閉店までの時間帯の中で、例えば、混雑等により店舗により対応が困難な時間帯以外の時間帯が挙げられる。混雑等により対応が困難な場合の例としては、サービスの予約が一杯で店員が対応できない場合やスペースを確保できない場合等が挙げられる。サービスの予約状況は、例えば、店舗の端末により管理されており、この予約状況から店舗の空き時間枠が算出される。こうして算出された空き時間枠を示す店舗時間枠情報は、例えば、店舗の端末から情報提供サーバ３へ定期的に又は予約受付時等にアップロードされ、店舗情報データベース３２３に登録される。また、店舗の空き時間枠を示す店舗時間枠情報は、例えば性別毎に区分してもよい。例えば、１３時００分〜１８時００分の間で、女性の予約が一杯であるが、男性の予約は空いているような場合、店舗の空き時間枠（１３時００分〜１８時００分）を示す店舗時間枠情報には、男性を示す情報が付加される（言い換えれば、女性に対する空き時間枠は無し）。なお、店員がその時の店内の混雑状況を認識することで予想される空き時間枠を、逐次、店舗の端末から入力するように構成してもよい。或いは、例えば店舗の端末がカメラにより店内を撮影した映像から混雑状況を認識することで予想される空き時間枠を、逐次、算出するように構成してもよい。このように入力又は算出された空き時間枠を示す店舗時間枠情報は、店舗の端末から例えば当該空き時間枠の入力時又は算出時等のタイミングで情報提供サーバ３へアップロードされ、店舗情報データベース３２３に登録される。これにより、リアルタイムな店舗時間枠情報を店舗情報データベース３２３に登録することができる。
【００５７】
図５は、店舗毎の属性情報、利用時間情報、及び店舗時間枠情報の一例を示す図である。図５に示す例では、美容のサービスを提供する店舗ＡＡＡの利用時間情報には、開店から閉店までの時間帯、世代毎の利用時間帯、及び性別毎の利用時間（長さ）が含まれている。また、店舗ＡＡＡの店舗時間枠情報には、店舗ＡＡＡの空き時間枠が含まれている。ここで、店舗ＡＡＡの空き時間枠は、店舗の端末により管理されている予約状況から算出されたものである。一方、アクセサリを販売する店舗ＢＢＢの利用時間情報には、開店から閉店までの時間帯、及び世代毎の利用時間帯が含まれている。また、店舗ＢＢＢの店舗時間枠情報には、店舗ＢＢＢの空き時間枠が含まれている。ここで、店舗ＢＢＢの空き時間枠は、店舗の店員により入力されたものである。なお、空き時間枠が含まれていない店舗については、例えば、開店から閉店までの時間帯が空き時間枠として処理される。
【００５８】
図４（Ｄ）に示す提供情報データベース３２４には、店舗ＩＤ、及び提供情報が店舗毎に対応付けられて登録されている。ここで、店舗の提供情報の例としては、特典情報、案内情報、レコメンド情報等が挙げられる。特典情報は、例えば商品又はサービスの決済に際して店舗からユーザが受けられる特典を示す電子クーポン（画像データやテキストデータ等からなる）である。この特典は、例えば、商品販売価格又はサービス提供価格からの割引等であり、この場合、特典情報には割引率（価格の１０％オフ）や割引額等が含まれる。なお、商品又はサービスを無料とする特典もある。そして、特典情報は、例えばユーザがクレジットカード決済、電子マネー決済、又はクーポン決済する際に利用される。また、案内情報には、店舗で提供（販売）される商品やサービスの内容及び価格、並びに店舗までの行き方等が含まれる。また、レコメンド情報には、店舗で提供される商品やサービスのお勧め情報が含まれる。
【００５９】
システム制御部３３は、ＣＰＵ、ＲＯＭ、ＲＡＭ等により構成されている。そして、システム制御部３３は、ＣＰＵが、ＲＯＭや記憶部３２に記憶された各種プログラムを読み出し実行することにより、時間枠情報取得手段、店舗組合せ決定手段、提供情報送信手段、位置情報取得手段、エリア情報取得手段、利用条件情報取得手段、属性情報取得手段、利用履歴情報取得手段、利用時間情報設定手段、スケジュール情報取得手段、利用認識手段、残り時間算出手段、及び出発店舗情報取得手段等として機能し、以下の処理を実行する。
【００６０】
［２．情報提供システムの動作］
次に、本実施形態に係る情報提供システムＳの動作について説明する。
【００６１】
（２．１  情報提供サーバ３から携帯端末１への提供情報の提供動作）
先ず、情報提供サーバ３から携帯端末１への提供情報の提供動作について、図６等を用いて説明する。
【００６２】
図６は、携帯端末１と情報提供サーバ３における処理及び情報のやり取りを示すシーケンス図である。
【００６３】
携帯端末１において提供情報取得及び管理プログラムが起動することにより通信部１１を通じて情報提供サーバ３にアクセスし、ログイン処理によりユーザ認証がなされると、情報提供サーバ３からユーザ指定画面データが携帯端末１に送信され（ステップＳ１）、表示部１５に表示される（ステップＳ２）。
【００６４】
次いで、携帯端末１の制御部１６は、表示部１５に表示されたユーザ指定画面上で、以下に説明するように、ユーザにより操作部１４から指定された時間枠等の情報を受け付けＲＡＭに記憶する（ステップＳ３)。
【００６５】
図７は、表示部１５上に表示されたユーザ指定画面の一例である。図７に示す例では、時間枠の指定部５１と、移動エリアの指定部５２と、目的／テーマ／ジャンルの指定部５３とが設けられている。
【００６６】
図７に示すユーザ指定画面の表示状態において、ユーザは時間枠を現時点からの時間長で指定したい場合、操作部１４を操作して、時間枠の指定部５１におけるラジオボタン５１ａをチェックすると共に入力欄５１ｂに時間長を入力する。一方、ユーザは時間枠を時間帯で指定したい場合、操作部１４を操作して、時間枠の指定部５１におけるラジオボタン５１ｃをチェックすると共に入力欄５１ｄに時間帯を入力する。一方、ユーザは時間枠をスケジュール情報から取得させたい場合、操作部１４を操作して、時間枠の指定部５１におけるラジオボタン５１ｅをチェックする。
【００６７】
また、図７に示すユーザ指定画面の表示状態において、ユーザは、ユーザの現在位置を基準とする移動エリアを指定したい場合、操作部１４を操作して、移動エリアの指定部５２におけるラジオボタン５２ａをチェックする。一方、ユーザは、当該移動エリアを自ら指定したい場合、操作部１４を操作して、移動エリアの指定部５２におけるラジオボタン５２ｂをチェックすると共に、ハイパーリンクが張られた“エリア検索”５２ｃを指定することにより表示されたエリア選択画面上で所望のエリア（例えば、渋谷区）を指定する。なお、エリア選択画面上に表示された地図上でユーザが所望の範囲を例えばマウスで選択することにより上記移動エリアが指定されるように構成しても良い。また、表示部１５がタッチパネルである場合、指やペンで地図上の所望範囲の外郭をなぞることにより上記移動エリアが指定されるように構成しても良い。一方、ユーザは移動エリアを特に限定しない場合、移動エリアの指定部５２におけるラジオボタン５２ｄをチェックする。
【００６８】
また、図７に示すユーザ指定画面の表示状態において、ユーザは、必要に応じて、目的、テーマ、及びジャンルのうち少なくとも何れか一つの利用条件を、目的／テーマ／ジャンルの指定部５３における入力欄５３ａ〜５３ｃにて入力（複数入力可）、指定することができる。なお、これらの目的、テーマ、及びジャンルは、予め用意された目的、テーマ、又はジャンルのリストから選択されるように構成しても良い。ここで、目的としては、例えば、癒し、美容、食事等が挙げられる。また、テーマとしては、例えば、ショッピング、グルメ等が挙げられる。また、ジャンルとしては、例えば、書籍、アクセサリ、家電等が挙げられる。目的、テーマ、及びジャンルは互いに重複しても良い。
【００６９】
以上のように、ユーザ指定画面においてユーザにより時間枠等が指定された後、ユーザにより送信ボタン５４が指定されると、携帯端末１の制御部１６は、ＲＡＭに記憶されている時間枠を示すユーザ時間枠情報等を含む情報取得要求をネットワークＮＷを介して情報提供サーバ３に送信する（ステップＳ４）。
【００７０】
なお、図７に示す時間枠の指定部５１においてラジオボタン５１ｅがチェックされていた場合、携帯端末１の制御部１６は、記憶部１２に記憶されているスケジュール（例えば、現時点を中心として前後数ヶ月間のスケジュール）情報をユーザ時間枠情報に代えて情報取得要求に含めて情報提供サーバ３に送信する。
【００７１】
また、図７に示す移動エリアの指定部５２においてラジオボタン５２ａがチェックされていた場合、携帯端末１の制御部１６は、ＧＰＳ受信機１３により検出された現在位置を示すユーザの位置情報を情報取得要求に含めて情報提供サーバ３に送信する。一方、図７に示す移動エリアの指定部５２においてラジオボタン５２ｂがチェックされ所望のエリアが選択されていた場合、携帯端末１の制御部１６は、当該エリアを示すエリア情報を情報取得要求に含めて情報提供サーバ３に送信する。
【００７２】
また、図７に示す目的／テーマ／ジャンルの指定部５３において目的、テーマ、及びジャンルのうち少なくとも何れか一つの利用条件が入力されていた場合、携帯端末１の制御部１６は、当該利用条件を含む利用条件情報を情報取得要求に含めて情報提供サーバ３に送信する。
【００７３】
なお、上記ユーザ時間枠情報、スケジュール情報、エリア情報、及び利用条件情報は、ユーザが使用する携帯端末１以外のパーソナルコンピュータ等の端末装置から上記ユーザＩＤと共に情報提供サーバ３に送信されても良い。
【００７４】
一方、情報提供サーバ３のシステム制御部３３は、携帯端末１から送信されてきた情報取得要求を受信する（ステップＳ５）。次いで、システム制御部３３は、当該情報取得要求からユーザＩＤを取得すると共に、ユーザ時間枠情報、スケジュール情報、ユーザの位置情報、エリア情報、及び利用条件情報の少なくとも何れか一つの情報を取得する（ステップＳ６）。
【００７５】
なお、情報取得要求からスケジュール情報が取得された場合、システム制御部３３は、当該スケジュール情報から所定の条件を満たすユーザ時間枠情報を取得する。例えば、スケジュール情報において、現時点から２４時間経過時点までの間で所定時間（２時間）以上予定が登録されていない時間帯がユーザ時間枠情報として取得される。なお、スケジュール情報から所定の条件を満たすユーザ時間枠情報を取得は、携帯端末１の制御部１６が行い、取得したユーザ時間枠情報を情報取得要求に含めて情報提供サーバ３に送信するように構成しても良い。
【００７６】
次いで、システム制御部３３は、上記ステップＳ６で取得されたユーザ時間枠情報等の情報と、店舗情報データベース３２３に登録されている各店舗の位置情報、各店舗の利用時間情報、及び各店舗の属性情報のうち少なくとも何れか一つに基づいて、当該ユーザ時間枠情報に示される時間枠内にユーザが利用可能な店舗の組合せを決定する店舗の組合せ決定処理を行う（ステップＳ７）。
【００７７】
図８は、ステップＳ７における店舗の組合せ決定処理の一例を示すフローチャートである。図８に示す処理において、システム制御部３３は、上記取得したユーザ時間枠情報に示される空き時間枠（現時点からの時間長、又は時間帯）から時間帯（以下、「ユーザの空き時間帯」という）を特定し、当該空き時間帯内にユーザが利用可能な複数の店舗を、店舗情報データベース３２３から選択（例えば、店舗ＩＤで選択）する（ステップＳ７１）。例えば、店舗情報データベース３２３に登録されている各店舗の利用時間情報（開店から閉店までの時間帯）が参照され、上記空き時間帯内に営業している店舗が選択される。なお、ユーザの空き時間帯の一部と営業時間が重なっている店舗も選択されることになる。
【００７８】
ここで、ステップＳ７１の処理の別の例として、店舗の空き時間枠を用いる場合について説明する。この場合、システム制御部３３は、上記ユーザの空き時間帯と、店舗の空き時間帯とに基づいて、ユーザの空き時間帯の少なくとも一部が重なる空き時間帯を有する複数の店舗を、店舗情報データベース３２３から選択する。店舗の空き時間帯は、店舗情報データベース３２３に登録されている店舗時間枠情報に店舗の空き時間枠が示されている場合、当該空き時間枠から特定される。この場合、例えば、ユーザの空き時間帯が“１３時００分〜１８時００分”であるとすると、空き時間帯“１７時００分〜１９時００分”を有する店舗は選択されることになる。また、店舗の空き時間枠を示す店舗時間枠情報に、性別を示す情報が付加されている場合がある。この場合、システム制御部３３は、携帯端末１のユーザの属性情報をユーザ情報データベース３２１から取得し、当該属性情報に示される性別と、店舗の空き時間枠の対象となる性別（例えば、男性）とが一致し、かつ、ユーザの空き時間帯との少なくとも一部が重なる空き時間帯を有する複数の店舗が選択されることになる。なお、店舗情報データベース３２３に登録されている店舗時間枠情報に店舗の空き時間枠が示されていない場合、例えば、店舗の開店から閉店までの時間帯が、店舗の空き時間帯として特定される。
【００７９】
次いで、システム制御部３３は、上記情報取得要求からユーザの位置情報が取得されたか否かを判定し（ステップＳ７２）、ユーザの位置情報が取得されたと判定した場合には（ステップＳ７２：ＹＥＳ）、ステップＳ７３に進み、ユーザの位置情報が取得されないと判定した場合には（ステップＳ７２：ＮＯ）、ステップＳ７４に進む。
【００８０】
ステップＳ７３では、システム制御部３３は、上記ユーザの位置情報と、店舗情報データベース３２３に登録されている各店舗の位置情報に基づいて、上記ステップＳ７１で選択された複数の店舗の絞り込み処理を行う。この絞込み処理では、例えば、上記ステップＳ７１で選択された複数の店舗の中から、ユーザの位置情報に示される現在位置（緯度及び経度）から所定エリア内に存在する店舗が該店舗の位置情報（経度及び緯度、或いは住所又は郵便番号）に基づき絞り込まれる。これにより、ユーザの現在位置を考慮した店舗を含む店舗の組合せを決定することができるので、ユーザは当該ユーザの空き時間枠で今から行き易い複数の店舗を利用することが可能となる。なお、上記所定エリアとは、例えば、現在位置を中心とする半径所定ｋｍの円の範囲内である。
【００８１】
一方、ステップＳ７４では、システム制御部３３は、上記情報取得要求からエリア情報が取得されたか否かを判定し、エリア情報が取得されたと判定した場合には（ステップＳ７４：ＹＥＳ）、ステップＳ７５に進み、エリア情報が取得されないと判定した場合には（ステップＳ７４：ＮＯ）、ステップＳ７６に進む。
【００８２】
ステップＳ７５では、システム制御部３３は、上記エリア情報と、店舗情報データベース３２３に登録されている各店舗の位置情報に基づいて、上記ステップＳ７１で選択された複数の店舗の絞り込み処理を行う。この絞込み処理では、例えば、上記ステップＳ７１で選択された複数の店舗の中から、エリア情報に示される移動エリア内に存在する店舗が該店舗の位置情報に基づき絞り込まれる。これにより、ユーザが指定したエリアを考慮した店舗を含む店舗の組合せを決定することができるので、ユーザは当該ユーザの空き時間枠で今から回遊したい地域における複数の店舗を利用することが可能となる。
【００８３】
一方、ステップＳ７６では、システム制御部３３は、上記情報取得要求から取得されたユーザＩＤに対応付けられてユーザ情報データベース３２１に登録されているユーザの住所（ユーザの勤務地の住所でも良い）と、店舗情報データベース３２３に登録されている各店舗の位置情報に基づいて、上記ステップＳ７１で選択された複数の店舗の絞り込み処理を行う。この絞込み処理では、例えば、上記ステップＳ７１で選択された複数の店舗の中から、ユーザの住所から所定エリア内に存在する店舗が該店舗の位置情報に基づき絞り込まれる。これにより、ユーザの住所又は勤務地を考慮した店舗を含む店舗の組合せを決定することができるので、ユーザは当該ユーザの空き時間枠で自宅や職場から行き易い複数の店舗を利用することが可能となる。なお、上記所定エリアとは、例えば、ユーザの住所を中心とする半径所定ｋｍの円の範囲内である。或いは、ユーザの住所が含まれる行政区域（例えば、市町村）を所定エリアとしても良い。
【００８４】
次に、ステップＳ７７では、システム制御部３３は、上記情報取得要求から利用条件情報が取得されたか否かを判定し、利用条件情報が取得されたと判定した場合には（ステップＳ７７：ＹＥＳ）、ステップＳ７８に進み、利用条件情報が取得されないと判定した場合には（ステップＳ７７：ＮＯ）、ステップＳ７９に進む。
【００８５】
ステップＳ７８では、システム制御部３３は、上記利用条件情報と、店舗情報データベース３２３に登録されている各店舗の属性情報に基づいて、上記ステップＳ７３、Ｓ７５又はＳ７６で絞り込まれた複数の店舗の再絞り込み処理を行う。この再絞込み処理では、例えば、上記ステップＳ７３、Ｓ７５又はＳ７６で絞り込まれた複数の店舗の中から、利用条件情報に示される目的、テーマ、及びジャンルのうち少なくとも何れか一つ（ＯＲ条件）又は全部（ＡＮＤ条件）を属性情報中に含む店舗が絞り込まれる。これにより、ユーザにより指定された目的、テーマ、及びジャンルのうち少なくとも何れか一つに合った店舗を含む店舗の組合せを決定することができるので、ユーザは当該ユーザの空き時間枠で自身の嗜好に合った複数の店舗を利用することが可能となる。
【００８６】
一方、ステップＳ７９では、システム制御部３３は、ユーザの属性情報に基づく絞り込みを行うか否かを判定し、ユーザの属性情報に基づく絞り込みを行うと判定した場合には（ステップＳ７９：ＹＥＳ）、ステップＳ８０に進み、ユーザの属性情報に基づく絞り込みを行わないと判定した場合には（ステップＳ７９：ＮＯ）、ステップＳ８１に進む。ここで、ユーザの属性情報に基づく絞り込みを行うか否かは、情報提供サーバ３の管理者が任意に設定しても良いし、携帯端末１のユーザが任意に設定（例えば、情報提供サーバ３から携帯端末１に提供されたユーザ指定画面上で設定）しても構成しても良い。
【００８７】
ステップＳ８０では、システム制御部３３は、上記情報取得要求から取得されたユーザＩＤに対応付けられてユーザ情報データベース３２１に登録されているユーザの属性情報と、店舗情報データベース３２３に登録されている各店舗の利用時間情報に基づいて、上記ステップＳ７３、Ｓ７５、Ｓ７６、又はＳ７８で絞り込まれた複数の店舗の再絞り込み処理を行う。
【００８８】
図９（Ａ）は、ステップＳ８０における再絞り込み処理の一例を示すフローチャートである。この再絞り込み処理では、先ず、システム制御部３３は、上記ユーザの属性情報をユーザ情報データベース３２１から取得すると共に、上記ステップＳ７３、Ｓ７５、Ｓ７６、又はＳ７８で絞り込まれた各店舗の利用時間情報を店舗情報データベース３２３から取得する（ステップＳ８０１）。
【００８９】
次いで、システム制御部３３は、取得したユーザの属性情報に基づいて、取得した各店舗の利用時間情報を設定する（ステップＳ８０２）。例えば、ユーザの属性情報として年齢が取得された場合、当該年齢が含まれる世代に対応する利用時間帯（図５参照）を示す利用時間情報が設定される。
【００９０】
そして、システム制御部３３は、上記ステップＳ７３、Ｓ７５、Ｓ７６、又はＳ７８で絞り込まれた複数の店舗の中から、上記設定した各利用時間情報に示される利用時間帯内の時間が上記ユーザの空き時間帯に含まれる店舗を絞り込む（ステップＳ８０３）。これにより、ユーザの属性に合った店舗を含む店舗の組合せを決定することができるので、ユーザは当該ユーザの空き時間枠で自身の属性に合った複数の店舗を利用することが可能となる。
【００９１】
なお、このステップＳ８０において、上記情報取得要求から取得されたユーザＩＤに対応付けられてユーザ情報データベース３２１に登録されているユーザの属性情報と、店舗情報データベース３２３に登録されている各店舗の属性情報に基づいて、上記のように絞り込まれた複数の店舗の再絞り込み処理を行うように構成しても良い。この場合、例えば、ユーザの属性情報として性別（例えば、女性）が取得された場合、当該性別に応じた店舗（例えば、女性専門の店舗）に絞り込まれる。
【００９２】
一方、ステップＳ８１では、システム制御部３３は、ユーザの利用履歴情報に基づく絞り込みを行うか否かを判定し、ユーザの利用履歴情報に基づく絞り込みを行うと判定した場合には（ステップＳ８１：ＹＥＳ）、ステップＳ８２に進み、ユーザの利用履歴情報に基づく絞り込みを行わないと判定した場合には（ステップＳ８１：ＮＯ）、ステップＳ８３に進む。ここで、ユーザの利用履歴情報に基づく絞り込みを行うか否かは、情報提供サーバ３の管理者が任意に設定しても良いし、携帯端末１のユーザが任意に設定（例えば情報提供サーバ３から携帯端末１に提供されたユーザ指定画面上で設定）しても構成しても良い。
【００９３】
ステップＳ８２では、システム制御部３３は、上記情報取得要求から取得されたユーザＩＤに対応付けられてユーザ情報データベース３２１に登録されているユーザの利用履歴情報に基づいて、上記ステップＳ７３、Ｓ７５、Ｓ７６、Ｓ７８、又はＳ８０で絞り込まれた複数の店舗の再絞り込み処理を行う。これにより、ユーザの過去の利用履歴に合った店舗を含む店舗の組合せを決定することができるので、ユーザは当該ユーザの空き時間枠で過去に利用した複数の店舗を優先して利用することが可能となる。
【００９４】
図９（Ｂ）は、ステップＳ８２における再絞り込み処理の一例を示すフローチャートである。この再絞り込み処理では、先ず、システム制御部３３は、上記ユーザの利用履歴情報をユーザ情報データベース３２１から全て取得し、上記ステップＳ７３、Ｓ７５、Ｓ７６、Ｓ７８、又はＳ８０で絞り込まれた複数の店舗の中から、当該取得した利用履歴情報に店舗ＩＤが含まれる店舗（つまり、ユーザが過去に利用した店舗）を全て特定する（ステップＳ８２１）。
【００９５】
次いで、システム制御部３３は、特定した店舗の店舗ＩＤが含まれる利用履歴情報に基づいて、当該店舗の利用時間情報（つまり、利用履歴情報に含まれる利用時間）を設定する（ステップＳ８２２）。
【００９６】
そして、システム制御部３３は、当該特定した複数の店舗の中から、上記設定した各利用時間情報に示される利用時間が上記ユーザの空き時間帯に含まれる店舗を絞り込む（ステップＳ８２３）。
【００９７】
一方、ステップＳ８３では、システム制御部３３は、上記ステップＳ７３、Ｓ７５、Ｓ７６、Ｓ７８、Ｓ８０、又はＳ８２で絞り込まれた複数の店舗の中から、当該ユーザが初めに利用する（初めに行く）店舗を出発店舗として一つ決定する。例えば、システム制御部３３は、ユーザの現在位置（住所でも良い）と各店舗の位置との間の直線距離、又はユーザの現在位置（住所でも良い）と各店舗の位置との間を道路に沿って結んだ距離を、地図データベース３２２に登録されている地図データを用いて算出する。そして、システム制御部３３は、算出された距離に基づいて、ユーザの現在位置に最も近い（距離が最も短い）店舗を決定する。これにより、ユーザの現在位置等を考慮した店舗を出発店舗として含む店舗の組合せを決定することができるので、今から行き易い店舗から利用することが可能となる。なお、複数の店舗の中から出発店舗がランダムに決定されるように構成しても良い。
【００９８】
また、上記ステップＳ８３における別の例として、携帯端末１のユーザから指定された店舗を出発店舗として決定するように構成しても良い。この場合、例えば、情報提供サーバ３から携帯端末１に提供された図７に示すユーザ指定画面で、ユーザが当該ユーザの空き時間枠内で初めに利用を望む店舗を指定でき、当該店舗を示す出発店舗情報は、情報取得要求に含まれて情報提供サーバ３に送信される。そして、システム制御部３３は、当該情報取得要求から出発店舗情報を取得し、この出発店舗情報に示される店舗を出発店舗として決定する。これにより、ユーザが初めに行きたい店舗を出発店舗として含む店舗の組合せを決定することができるので、ユーザは当該ユーザの空き時間枠で初めに行きたい店舗から利用することが可能となる。
【００９９】
次いで、システム制御部３３は、上記ステップＳ７３、Ｓ７５、Ｓ７６、Ｓ７８、Ｓ８０、又はＳ８２で絞り込まれた複数の店舗の中から、次に利用する店舗を一つ決定する（ステップＳ８４）。例えば、直前に決定された店舗（ステップＳ８３又はループにより直前のステップＳ８４で決定された店舗）の位置情報と、その他の各店舗の位置情報と、地図データとから、当該直前に決定された店舗に最も近い（距離が最も短い）店舗が決定（上記ステップＳ８３と同様の手順で決定）される。なお、複数の店舗の中から次に利用する店舗がランダムに決定されるように構成しても良い。
【０１００】
次いで、システム制御部３３は、直前に決定した店舗の利用が終了する予想時刻算出処理を行う（ステップＳ８５）。
【０１０１】
図９（Ｃ）は、ステップＳ８５における予想時刻算出処理の一例を示すフローチャートである。この予想時刻算出処理では、システム制御部３３は、ユーザの現在位置から出発店舗までの距離（上記ステップＳ８３で算出された距離）と、出発店舗から次に利用する店舗までの距離（上記ステップＳ８４で算出された距離）とを加算して総距離（ユーザの移動距離）を算出する（ステップＳ８５１）。なお、この総距離には、ステップＳ８６からステップＳ８４に戻った場合、次に利用する店舗から更に次に利用する店舗までの距離も加算される。また、ユーザの現在位置を示す位置情報が携帯端末１から取得されていない場合、ユーザの現在位置から出発店舗までの距離の代わりに、ユーザの住所から出発店舗までの距離、或いはデフォルト設定された距離（余裕を見た距離）が上記総距離に加算される。
【０１０２】
次いで、システム制御部３３は、上記算出した総距離とデフォルト設定された移動速度からユーザの移動時間を算出する（ステップＳ８５２）。なお、移動速度には、例えば歩行で移動できる距離（所定距離以下）の場合、人が歩行する時の平均的な速度が用いられ、そうでない場合、車両等の交通手段による法定走行速度が用いられる。
【０１０３】
次いで、システム制御部３３は、上記ステップＳ８３とステップＳ８４で決定した各店舗の利用時間（長さ）を示す利用時間情報を店舗情報データベース３２３から取得する（ステップＳ８５３）。ここで、例えば商品を販売する店舗に対応する利用時間情報はデータベース３２３に登録されていない場合があり、この場合、デフォルト設定された共通の利用時間情報（例えば、１０分）が取得される。また、利用時間情報は、上記ユーザの属性情報に基づいて取得、設定されるように構成しても良い。例えば、ユーザの属性情報として性別が取得された場合、当該性別に対応する利用時間（図５参照）を示す利用時間情報が取得、設定される。
【０１０４】
そして、システム制御部３３は、上記算出したユーザの移動時間と、上記取得又は設定した各利用時間情報に示される利用時間（長さ）と、デフォルト設定された余裕時間とを積算して積算時間を算出し、現在時刻から起算して当該積算時間の経過時点の予想時刻を算出する（ステップＳ８５４）。なお、現在時刻は、システム制御部３３の時計機能により取得できる。
【０１０５】
次に、システム制御部３３は、上記算出した予想時刻が、上記ユーザの空き時間帯内に含まれるか否かを判定する（ステップＳ８６）。そして、システム制御部３３は、予想時刻がユーザの空き時間帯内に含まれると判定した場合（ステップＳ８６：ＹＥＳ）、ステップＳ８４に戻り、上記処理を繰り返す。一方、そして、システム制御部３３は、予想時刻がユーザの空き時間帯内に含まれないと判定した場合（ステップＳ８６：ＮＯ）、上記ステップＳ８３とステップＳ８４で決定した店舗の組を、上記ユーザ時間枠情報に示されるユーザの空き時間枠内にユーザが利用可能な店舗の組合せとして決定し（ステップＳ８７）、図８に示す店舗の組合せ決定処理を終了し、図６に示す処理に戻る。なお、ステップＳ８４で最後に決定された店舗は当該組合せから除外される。
【０１０６】
なお、情報提供サーバ３から携帯端末１に提供された図７に示すユーザ指定画面で、ユーザが当該ユーザの空き時間枠内で店舗の利用の終了時間を指定し、当該指定された終了時間を示す情報が情報提供サーバ３に送信されるように構成しても良い。この場合、上記ステップＳ８６で判定される空き時間帯の終了時刻は、ユーザにより指定された終了時間に設定される。
【０１０７】
次に、システム制御部３３は、上記決定された組合せにおける各店舗の店舗ＩＤに対応付けられて登録されている提供情報を提供情報データベース３２４から取得し、当該取得した提供情報を、上記情報取得要求を行った携帯端末１に送信する（ステップＳ８）。このとき、上記ユーザの空き時間帯及び提供情報の送信時刻を示す情報が当該携帯端末１のユーザのユーザＩＤに対応付けられて記憶部３２に記憶される。
【０１０８】
なお、携帯端末１に送信される各提供情報のデータ中には、対応する店舗の店舗ＩＤ、及び当該携帯端末１のユーザのユーザＩＤ等を含むコード（例えば、二次元コード等）が設定される。
【０１０９】
また、各店舗の提供情報は、例えば上記ステップＳ８３とステップＳ８４で決定された順序（即ち、ユーザが利用する順序）を示す順序情報と共に送信される。
【０１１０】
また、上記取得される提供情報を特典情報とする場合、システム制御部３３は、店舗毎に複数登録されている特典情報の中から、当該携帯端末１のユーザのカード利用情報に応じた特典情報を選択して携帯端末１に送信するように構成しても良い。このカード利用情報は、例えば当該ユーザに対応する利用履歴情報（ユーザ情報データベース３２１に登録）から取得することができる。例えば、システム制御部３３は、この利用履歴情報に含まれる決済に関する情報から、過去にユーザがクレジットカード決済、電子マネー決済、又はクーポン決済により購入した商品の商品ＩＤを取得し、当該商品ＩＤに対応付けられて登録されている特典情報（例えば当該商品を割引する特典を示す）を選択する。
【０１１１】
なお、各提供情報は、当該ユーザのメールアドレス宛に送信するように構成しても良い。
【０１１２】
一方、携帯端末１の制御部１６は、情報提供サーバ３から送信されてきた提供情報を受信すると、当該提供情報を記憶部１２に記憶、表示部１５に表示する（ステップＳ９）。ここで、提供情報と共に上記順序情報が受信された場合、当該順序情報に基づく順序で（上方から下方に）、各店舗の提供情報が一覧形式で表示されるか、或いはユーザによる操作部１４のページ捲り操作に応じて当該順序情報に基づく順序で各店舗の提供情報が順次切換え（ページが捲られるように）表示される。
【０１１３】
以上説明したように、情報提供サーバ３から携帯端末１への提供情報の提供動作によれば、ユーザに対して、店舗の利用が可能となる当該ユーザの空き時間枠に応じた店舗の提供情報を柔軟に提供することができる。また、ユーザが店舗を利用する時間を十分に確保できない場合であっても、店舗を利用するためにユーザが確保できる時間に応じた複数の店舗の提供情報をユーザに対して柔軟に提供することができる。また、上記提供動作によれば、ユーザにより指定された移動エリア、目的、テーマ、又はジャンル、更にはユーザの属性情報や利用履歴情報等に基づいて、ユーザが利用可能な店舗の組合せを決定することもできるので、ユーザの嗜好に合った店舗の組合せでユーザの空き時間枠に応じた店舗の提供情報を柔軟に提供することができる。また、ユーザの空き時間帯と、店舗の空き時間帯とに基づいて、ユーザの空き時間帯の少なくとも一部が重なる空き時間帯を有する複数の店舗の組合せを決定する構成によれば、ユーザの空き時間と店舗の空き時間とをマッチングさせることができ、ユーザがより利用し易い提供情報を柔軟に提供することができる。
【０１１４】
そして、ユーザは当該ユーザの空き時間枠（例えば、暇な時間）に応じた複数の店舗の提供情報を確認でき、各店舗をより順次効率良く利用することができる。また、当該提供情報を特典情報にすれば、ユーザは店舗において商品やサービスに対する支払いの際に割引等の特典を受けることができるので店舗を利用する意欲が増し、店舗側はより多くの顧客を集客することができる。
【０１１５】
（変形例）
上記ステップＳ１〜Ｓ３における別の例として、携帯端末１においてスケジューラの実行中に、ユーザが操作部１４を操作して、スケジュールを登録する際又は更新する際、或いは空き時間を検索する際等のタイミングで、制御部１６は、登録されているスケジュール情報から、例えばユーザにより指定された所定の条件（２時間以上予定が無い等）を満たすユーザ時間枠情報を取得するように構成しても良い。この場合、携帯端末１の制御部１６は、ユーザ時間枠情報を取得すると、情報提供サーバ３にアクセスして自動ログインした（予め携帯端末１において設定されたユーザＩＤ及びパスワードが情報提供サーバ３に送信されることによる）後に、当該ユーザ時間枠情報を含む情報取得要求をネットワークＮＷを介して情報提供サーバ３に送信することになる。そして、当該情報取得要求を受信した情報提供サーバ３における処理（上記ステップＳ６以降の処理）は上記と同様である。このような構成によれば、ユーザがスケジューラを起動させて、スケジュールを登録する際又は更新する際、或いは空き時間を検索する際等のタイミングで、上記情報取得要求を情報提供サーバ３に自動的に送信することができる。従って、ユーザに対して、店舗の利用が可能となる当該ユーザの空き時間枠に応じた店舗の提供情報を、よりタイムリーに提供することができる。
【０１１６】
更に別の例として、スケジューラにより事前に設定された特定の店舗（例えば、ユーザにより指定された美容院等）の前回の利用から所定期間（例えば一ヶ月）以上経過（現時点基準）したことを制御部１６が検出するように構成しても良い。この場合、制御部１６は、所定期間以上経過したことを検出したタイミングで、登録されているスケジュール情報から、例えばユーザにより指定された所定の条件（２時間以上予定が無い等）を満たすユーザ時間枠情報を取得し、当該ユーザ時間枠情報及び、スケジューラにより事前に設定された特定の店舗を示す特定店舗情報を含む情報取得要求をネットワークＮＷを介して情報提供サーバ３に送信する。そして、当該情報取得要求を受信した情報提供サーバ３のシステム制御部３３は、上記ステップＳ６以降の処理を行うことになるが、上記ステップＳ８３において、当該情報提供要求に含まれる特定店舗情報に示される店舗を出発店舗として決定する。これにより、前回の利用から所定期間経過した店舗を含む店舗の組合せを決定することができるので、ユーザは当該店舗の次回の利用を忘れていたとしても、当該ユーザの空き時間枠で当該店舗から利用することが可能となる。
【０１１７】
なお、携帯端末１は、スケジュールを登録する際又は更新する際、空き時間を自発的に検索する際、或いは所定期間以上経過したことを検出した等のタイミングで、登録されているスケジュール情報を取得し、当該スケジュール情報を含む情報取得要求をネットワークＮＷを介して情報提供サーバ３に送信するように構成しても良い。この場合、情報提供サーバ３が、取得したスケジュール情報から所定の条件（２時間以上予定が無い等）を満たすユーザ時間枠情報を取得（スケジューラにより特定の店舗が設定されていた場合、当該店舗を示す特定店舗情報も取得）することになる。また、この変形例においても、携帯端末１は、ＧＰＳ受信機１３により検出された現在位置を示すユーザの位置情報を情報取得要求に含めて情報提供サーバ３に送信するように構成しても良い。また、エリア情報や利用条件情報が予め設定された記憶されていれば、携帯端末１は、これらの情報を情報取得要求に含めて情報提供サーバ３に送信するように構成しても良い。
【０１１８】
（２．２  情報提供サーバ３から携帯端末１への提供情報の更新動作）
次に、情報提供サーバ３から携帯端末１への提供情報の更新動作について、図１０を用いて説明する。
【０１１９】
図１０は、情報提供サーバ３のシステム制御部３３における提供情報の更新処理を示すフローチャートである。
【０１２０】
図１０に示す処理の前提として、上述した提供情報の提供動作により情報提供サーバ３からの提供情報を携帯端末１で取得したユーザは、該提供情報に示される店舗に赴き、当該店舗で商品を購入又はサービスを享受することになる。ユーザは、決済に際して特典情報を利用する場合、例えば商品の販売金額から特典情報に示される割引率で販売価格から割り引かれた価格で商品を購入することができる。このとき、ユーザは、携帯端末１の操作部１４を操作して所望の店舗の提供情報を選択し、これに含まれる二次元コードを表示部１５に表示させる。そして、かかる二次元コードが、店舗の店員による店舗端末２の操作により、該店舗端末２に接続されているコード読取器により読み取られ、店舗端末２により取得される。そして、店舗端末２は、読み取った二次元コードから、店舗ＩＤ及びユーザＩＤ等を抽出する。
【０１２１】
なお、ユーザは、携帯端末１の記憶部１２に記憶されている提供情報を自宅で印刷してこれを上記店舗に持っていくことで、これに表示された二次元コードが、店舗端末２に接続されているコード読取器により読み取られ、店舗端末２により取得されるものであっても良い。また、二次元コードの代わりに、バーコードや電子透かしをクーポン上に表示させ、これが読取器により読み取られ、店舗端末２により取得されるものであっても良い。また、店舗の提供情報に含まれる店舗ＩＤ及びユーザＩＤは、携帯端末１に搭載された非接触ＩＣチップ（公知のFeliCa（登録商標）技術を採用）から、店舗端末２に接続された非接触リーダライタに非接触通信で伝送され、店舗端末２に取得されるように構成しても良い。
【０１２２】
また、当該店舗において、購入対象となる商品の販売価格が店員により店舗端末２から入力される。そして、ユーザが例えばクレジットカード決済で商品を購入する場合、ユーザは自身のクレジットカードを店舗の店員に渡す。そして、クレジットカード番号が、店舗の店員による店舗端末２の操作により、該店舗端末２に接続されているカード読取器によりクレジットカードから読み取られ、店舗端末２により取得される。そして、店舗の店員が店舗端末２を操作して決済指示を行うと、店舗端末２は情報提供サーバ３にネットワークＮＷを介してアクセスする。そして、店舗端末２は、上記取得されたユーザＩＤ、店舗ＩＤ、上記入力された販売価格、及び上記クレジットカード番号等の情報を含む決済要求をネットワークＮＷを介して情報提供サーバ３に送信する。なお、販売価格は、上記提供情報が特典情報である場合、当該特典情報に示される割引率で割り引いた価格である（情報提供サーバ３で割り引いても良い）。また、商品の販売価格の代わりに当該商品の商品ＩＤが決済要求に含められるようにし、情報提供サーバ３が、当該商品ＩＤをキーとして販売価格を特定しても良い。また、決済要求にはユーザＩＤを含めないようにし、情報提供サーバ３が、決済要求に含まれるクレジットカード番号をキーとしてユーザＩＤをユーザ情報データベース３２１から特定しても良い。
【０１２３】
一方、情報提供サーバ３は、上記決済要求を受信すると、例えば専用回線を経由してクレジットカード会社の与信システムに対してオーソリ要求を行う。クレジットカード会社の与信システムによりカードの有効性の確認及びカード与信残高の照合等が行われ、そのオーソリ結果が情報提供サーバ３に応答される。そして、情報提供サーバ３のシステム制御部３３は、応答されたオーソリ結果を取得すると、該オーソリ結果が良好であるか否かを判定し良好である場合にはクレジットカードによる決済処理を実行する。続いて、システム制御部３３は、上述した利用履歴情報をユーザＩＤに対応付けてユーザ情報データベース３２１に登録すると共に、図１０に示す処理を開始する。
【０１２４】
図１０に示す処理では、先ず、システム制御部３３は、上記受信された決済要求から店舗ＩＤ及びユーザＩＤを取得することにより、当該店舗ＩＤに対応する店舗の提供情報の利用を認識（利用フラグを立てる）し、当該取得されたユーザＩＤに対応付けて、現在時刻を提供情報利用時刻として記憶する（ステップＳ１１）。なお、システム制御部３３は、良好であることを示すオーソリ結果の受信を、提供情報の利用と認識してもよい。また、図１０に示す提供情報の更新処理は、クレジットカード決済が行われた（言い換えれば、オーソリ結果が良好であった）ことを条件として開始される他にも、例えば電子マネー決済、又はクーポン決済が行われたことを条件として開始されるように構成してもよい。オンライン方式の電子マネー決済の場合、店舗の端末が、電子マネー決済時に、情報提供サーバ３へ電子マネー決済を示す情報を（ユーザＩＤ、及び店舗ＩＤを含む）送信する。一方、オフライン方式の電子マネー決済の場合、店舗の端末が電子マネー決済を実行した後、情報提供サーバ３と同期を図る際（例えば、バッチ処理により所定時間毎）に、情報提供サーバ３へ電子マネー決済を示す情報を（ユーザＩＤ、及び店舗ＩＤを含む）送信する。そして、情報提供サーバ３のシステム制御部３３は、上記受信された電子マネー決済を示す情報から店舗ＩＤ及びユーザＩＤを取得して、ステップＳ１１以降の処理を行う。
【０１２５】
一方、クーポン決済の場合、店舗の端末が、クーポン決済時又はクーポン決済後に、情報提供サーバ３へクーポン決済を示す情報を（ユーザＩＤ、及び店舗ＩＤを含む）送信する。そして、情報提供サーバ３のシステム制御部３３は、例えば、上記受信されたクーポン決済を示す情報から店舗ＩＤ及びユーザＩＤを取得して、ステップＳ１１以降の処理を行う。なお、クーポン決済に用いられるクーポンには、携帯端末１が上記ステップＳ９で情報提供サーバ３から受信した特典情報以外にも、ユーザが携帯端末１等のユーザ端末を用いて、店舗の情報を提供するＷｅｂサイトから取得した電子クーポンがある。このような電子クーポンには、固有のクーポンＩＤが付与されている場合があり、この場合、電子クーポンを配布したユーザのユーザＩＤとクーポンＩＤとを対応付けてサーバに登録することができる。そのため、電子クーポンが店舗においてユーザにより利用されると、情報提供サーバ３は、利用したユーザのユーザＩＤを特定することができる。
【０１２６】
次いで、システム制御部３３は、上記取得されたユーザＩＤに対応付けられて記憶されている、ユーザの空き時間帯を示す情報を記憶部３２から取得する（ステップＳ１２）。次いで、システム制御部３３は、上記記憶された提供情報利用時刻（認識された利用の時刻）と、上記取得した空き時間帯とから残り時間を算出する（ステップＳ１３）。例えば、ユーザの空き時間帯が１２時００分から１５時００分であり、提供情報利用時刻が１３時００分であるとすると、残り時間は２時間である。
【０１２７】
次いで、システム制御部３３は、上記算出した残り時間内にユーザが利用可能な店舗の組合せを再決定する店舗の組合せ決定処理を行う（ステップＳ１４）。この店舗の組合せ決定処理には上述した図８に示す処理を適用できる。ただし、この店舗の組合せ決定処理では、システム制御部３３は、上記ステップＳ７１において、上記算出した残り時間に対応するユーザの空き時間帯を新たに特定し、当該空き時間帯内にユーザが利用可能な複数の店舗を、店舗情報データベース３２３から選択することになる。また、ユーザの現在位置は、上述したステップＳ５における情報取得要求の受信時から変動しているので、システム制御部３３は、携帯端末１からユーザの位置情報を再度取得して図８に示す処理において用いることになる。なお、前記決済処理を行った店舗の位置情報を携帯端末１の位置情報とするように構成しても良い。このステップＳ１４においても、システム制御部３３は、ユーザの空き時間帯（上記のように新たに特定）と、店舗情報データベース３２３を新たに参照することで特定した店舗の空き時間帯とに基づいて、ユーザの空き時間帯の少なくとも一部が重なる空き時間帯を有する複数の店舗を、店舗情報データベース３２３から選択するように構成してもよい。このステップＳ１４における店舗の組合せ決定処理時には、店舗の空き時間帯が、前回の店舗の組合せ決定処理から変更されている可能性がある。そのため、ステップＳ１４における店舗の組合せ決定処理において、ユーザの空き時間帯と、店舗の空き時間帯とに基づいて、ユーザの空き時間帯の少なくとも一部が重なる空き時間帯を有する複数の店舗の組合せを決定すれば、ユーザの空き時間と店舗の空き時間とを、より効果的にマッチングさせることができ、ユーザがより利用し易い提供情報を柔軟に提供することができる。
【０１２８】
そして、システム制御部３３は、上記再決定された組合せにおける各店舗の店舗ＩＤに対応付けられて登録されている提供情報を提供情報データベース３２４から取得し、当該取得した提供情報を、上記ステップＳ８と同様に、上記携帯端末１に送信する（ステップＳ１５）。このとき、提供情報データベース３２４から取得され携帯端末１に送信される提供情報の内容は、上述したステップＳ８で送信された提供情報から更新されていることになる。つまり、最初の提供情報の送信から経過していればいるほどユーザの現在位置等の状況が変化するため、その内容が変わることになる。
【０１２９】
以上説明したように、情報提供サーバ３から携帯端末１への提供情報の更新動作によれば、情報提供サーバ３は、最初の提供情報の送信から所定時間経過後（例えば残り時間を算出するタイミング）に、ユーザの空き時間帯における残り時間内にユーザが利用可能な店舗の組合せを再決定し、該再決定された組合せにおける店舗の提供情報をユーザの携帯端末１に送信する。従って、ユーザが提供情報に係る１以上の店舗を利用することにより時間が経過しユーザの現在位置等の状況が変化した場合であっても、当該ユーザに対して、残り時間に応じた店舗の提供情報をより柔軟に提供することができる。
【０１３０】
なお、最初の提供情報の送信から所定時間間隔で定期的に、店舗の組合せが再決定され、当該提供情報が携帯端末１又はユーザのメールアドレス宛に送信されるように構成しても良い。
【０１３１】
また、上記実施形態においては、情報提供サーバ３が、図８〜図１０に示す処理を行うように構成したが、別の例として、携帯端末１が図８〜図１０に示す処理を行うように構成してもよい。この場合、携帯端末１の制御部１６は、本発明における店舗情報取得手段として、店舗情報データベース３２３、及び提供情報データベース３２４に登録された情報の全部又は一部を、ネットワークＮＷを介して情報提供サーバ３から取得し記憶部１２に記憶する。次いで、携帯端末１の制御部１６は、本発明における時間枠情報取得手段、及び店舗組合せ決定手段等として機能し、上述した図８〜図１０に示す処理を行う。そして、携帯端末１の制御部１６は、本発明における店舗の提供情報を表示させる表示制御手段として機能し、上記決定された組合せにおける各店舗の店舗ＩＤに対応付けられて登録されている提供情報を記憶部１２から取得し（上記ステップＳ８と同様）、当該取得した提供情報を、表示部１５に表示させる（ステップＳ９と同様）。
【符号の説明】
【０１３２】
１  携帯端末
２  店舗端末
３  情報提供サーバ
１１  通信部
１２  記憶部
１３  ＧＰＳ受信機
１４  操作部
１５  表示部
１６  制御部
３１  通信部
３２  記憶部
３３  システム制御部
ＮＷ  ネットワーク
Ｓ  情報提供システム
【図１】
2011115010.tif 000003
【図２】
2011115010.tif 000004
【図３】
2011115010.tif 000005
【図４】
2011115010.tif 000006
【図５】
2011115010.tif 000007
【図６】
2011115010.tif 000008
【図８】
2011115010.tif 000009
【図９】
2011115010.tif 000010
【図１０】
2011115010.tif 000011
【図７】
2011115010.tif 000012
【手続補正書】
【提出日】平成24年5月9日(2012.5.9)
【手続補正１】
【補正対象書類名】特許請求の範囲
【補正対象項目名】全文
【補正方法】変更
【補正の内容】
【特許請求の範囲】
【請求項１】
端末装置が通信手段を介してアクセス可能なサーバ装置において、
ユーザの空き時間枠を示すユーザ時間枠情報を取得する時間枠情報取得手段と、
商品又はサービスを提供する店舗の位置情報、当該店舗の利用時間情報、及び当該店舗の属性情報のうち少なくとも何れか一つを含む店舗情報と、当該店舗からの提供情報とを店舗毎に記憶する店舗情報記憶手段に記憶された各前記店舗の店舗情報と、前記取得されたユーザ時間枠情報とに基づいて、当該ユーザ時間枠情報に示される時間枠内に前記ユーザが利用可能な前記店舗の組合せを決定する店舗組合せ決定手段と、
前記決定された組合せにおける前記店舗の提供情報を前記ユーザの端末装置に送信する提供情報送信手段と、を備えることを特徴とするサーバ装置。
【請求項２】
請求項１に記載のサーバ装置において、
前記店舗情報記憶手段は、店舗の空き時間枠を示す店舗時間枠情報をさらに記憶し、
前記店舗組合せ決定手段は、前記取得されたユーザ時間枠情報で示される前記ユーザの空き時間枠と、前記店舗時間枠情報で示される前記店舗の空き時間枠とに基づいて、前記ユーザの空き時間枠の少なくとも一部が重なる前記店舗の空き時間枠を有する前記店舗の組合せを決定することを特徴とするサーバ装置。
【請求項３】
請求項１又は２に記載のサーバ装置において、
前記ユーザの属性情報を取得する属性情報取得手段と、
前記取得された属性情報に基づいて、前記店舗の利用時間情報を設定する利用時間情報設定手段と、
を更に備え、
前記店舗組合せ決定手段は、前記取得されたユーザ時間枠情報と、前記設定された前記店舗の利用時間情報に基づいて、前記時間枠内に前記ユーザが利用可能な前記店舗の組合せを決定することを特徴とするサーバ装置。
【請求項４】
請求項１又は２に記載のサーバ装置において、
前記ユーザによる過去の店舗の利用履歴情報を取得する利用履歴情報取得手段と、
前記取得された利用履歴情報に基づいて、前記店舗の利用時間情報を設定する利用時間情報設定手段と、
を更に備え、
前記店舗組合せ決定手段は、前記取得されたユーザ時間枠情報と、前記設定された前記店舗の利用時間情報に基づいて、前記時間枠内に前記ユーザが利用可能な前記店舗の組合せを決定することを特徴とするサーバ装置。
【請求項５】
請求項１乃至４の何れか一項に記載のサーバ装置において、
前記ユーザのスケジュール情報を取得するスケジュール情報取得手段を備え、
前記時間枠情報取得手段は、前記取得されたスケジュール情報から所定の条件を満たす前記ユーザ時間枠情報を所定のタイミングで取得することを特徴とするサーバ装置。
【請求項６】
請求項１乃至５の何れか一項に記載のサーバ装置において、
前記ユーザの位置情報を前記端末装置から取得する位置情報取得手段を備え、
前記店舗組合せ決定手段は、前記取得されたユーザ時間枠情報と、前記取得されたユーザの位置情報と、前記店舗の位置情報に基づいて、前記時間枠内に前記ユーザが利用可能な前記店舗の組合せを決定することを特徴とするサーバ装置。
【請求項７】
請求項１乃至６の何れか一項に記載のサーバ装置において、
前記ユーザが移動するエリアを示すエリア情報を取得するエリア情報取得手段を備え、
前記店舗組合せ決定手段は、前記取得されたユーザ時間枠情報と、前記取得されたエリア情報と、前記店舗の位置情報に基づいて、前記時間枠内に前記ユーザが利用可能な前記店舗の組合せを決定することを特徴とするサーバ装置。
【請求項８】
請求項１乃至７の何れか一項に記載のサーバ装置において、
前記ユーザが複数の店舗を利用する目的、テーマ、及びジャンルのうち少なくとも何れか一つを含む利用条件情報を取得する利用条件情報取得手段を備え、
前記店舗組合せ決定手段は、前記取得されたユーザ時間枠情報と、前記取得された利用条件情報と、前記店舗の属性情報に基づいて、前記時間枠内に前記ユーザが利用可能な前記店舗の組合せを決定することを特徴とするサーバ装置。
【請求項９】
請求項１乃至８の何れか一項に記載のサーバ装置において、
前記ユーザが前記時間枠内で初めに利用を望む店舗を示す出発店舗情報を取得する出発店舗情報取得手段を備え、
前記店舗組合せ決定手段は、前記取得された出発店舗情報に示される店舗を出発店舗として含む前記店舗の組合せを決定することを特徴とするサーバ装置。
【請求項１０】
請求項１乃至９の何れか一項に記載のサーバ装置において、
前記店舗組合せ決定手段は、所定時間経過後に前記時間枠における残り時間内に前記ユーザが利用可能な前記店舗の組合せを再決定し、
前記提供情報送信手段は、前記再決定された組合せにおける前記店舗の提供情報を前記ユーザの端末装置に送信することを特徴とするサーバ装置。
【請求項１１】
請求項１０に記載のサーバ装置において、
前記決定された組合せにおける前記店舗の前記提供情報の利用を認識する利用認識手段と、
前記認識された利用の時刻と前記時間枠とから前記残り時間を算出する残り時間算出手段と、
を備え、
前記店舗組合せ決定手段は、前記残り時間を算出するタイミングで当該残り時間内に前記ユーザが利用可能な前記店舗の組合せを再決定することを特徴とするサーバ装置。
【請求項１２】
請求項１乃至９の何れか一項に記載のサーバ装置において、
前記決定された組合せにおける前記店舗の前記提供情報の利用を認識する利用認識手段と、
前記認識された利用の時刻と前記時間枠とから前記時間枠における残り時間を算出する残り時間算出手段と、
を備え、
前記店舗組合せ決定手段は、前記残り時間を算出するタイミングで当該残り時間内に前記ユーザが利用可能な前記店舗の組合せを再決定することを特徴とするサーバ装置。
【請求項１３】
請求項１乃至１２の何れか一項に記載のサーバ装置において、
前記提供情報は、前記店舗からユーザが受けられる特典を示す特典情報であることを特徴とするサーバ装置。
【請求項１４】
端末装置が通信手段を介してアクセス可能なサーバ装置に含まれるコンピュータを、
ユーザの空き時間枠を示すユーザ時間枠情報を取得する時間枠情報取得手段、
商品又はサービスを提供する店舗の位置情報、当該店舗の利用時間情報、及び当該店舗の属性情報のうち少なくとも何れか一つを含む店舗情報と、当該店舗からの提供情報とを店舗毎に記憶する店舗情報記憶手段に記憶された各前記店舗の店舗情報と、前記取得されたユーザ時間枠情報とに基づいて、当該ユーザ時間枠情報に示される時間枠内に前記ユーザが利用可能な前記店舗の組合せを決定する店舗組合せ決定手段、及び
前記決定された組合せにおける前記店舗の提供情報を前記ユーザの端末装置に送信する提供情報送信手段として機能させることを特徴とする情報提供プログラム。
【請求項１５】
端末装置が通信手段を介してアクセス可能なサーバ装置に含まれるコンピュータを、
ユーザの空き時間枠を示すユーザ時間枠情報を取得する時間枠情報取得手段、
商品又はサービスを提供する店舗の位置情報、当該店舗の利用時間情報、及び当該店舗の属性情報のうち少なくとも何れか一つを含む店舗情報と、当該店舗からの提供情報とを店舗毎に記憶する店舗情報記憶手段に記憶された各前記店舗の店舗情報と、前記取得されたユーザ時間枠情報とに基づいて、当該ユーザ時間枠情報に示される時間枠内に前記ユーザが利用可能な前記店舗の組合せを決定する店舗組合せ決定手段、及び
前記決定された組合せにおける前記店舗の提供情報を前記ユーザの端末装置に送信する提供情報送信手段として機能させる情報提供プログラムが記録された記録媒体。
【請求項１６】
端末装置が通信手段を介してアクセス可能なサーバ装置おける情報提供方法であって、
前記サーバ装置が、ユーザの空き時間枠を示すユーザ時間枠情報を取得するステップと、
前記サーバ装置が、商品又はサービスを提供する店舗の位置情報、当該店舗の利用時間情報、及び当該店舗の属性情報のうち少なくとも何れか一つを含む店舗情報と、当該店舗からの提供情報とを店舗毎に記憶する店舗情報記憶手段に記憶された各前記店舗の店舗情報と、前記取得されたユーザ時間枠情報とに基づいて、当該ユーザ時間枠情報に示される時間枠内に前記ユーザが利用可能な前記店舗の組合せを決定するステップと、
前記サーバ装置が、前記決定された組合せにおける前記店舗の提供情報を前記ユーザの端末装置に送信するステップと、
を含むことを特徴とする情報提供方法。
【請求項１７】
商品又はサービスを提供する店舗の位置情報、当該店舗の利用時間情報、及び当該店舗の属性情報のうち少なくとも何れか一つを含む店舗情報を、通信手段を介してサーバ装置から店舗毎に取得する店舗情報取得手段と、
ユーザの空き時間枠を示すユーザ時間枠情報を取得する時間枠情報取得手段と、
前記取得されたユーザ時間枠情報と、前記取得された各前記店舗の店舗情報に基づいて、当該ユーザ時間枠情報に示される時間枠内に前記ユーザが利用可能な前記店舗の組合せを決定する店舗組合せ決定手段と、
前記決定された組合せにおける前記店舗の提供情報を表示させる表示制御手段と、を備えることを特徴とする端末装置。
【請求項１８】
端末装置に含まれるコンピュータを、
商品又はサービスを提供する店舗の位置情報、当該店舗の利用時間情報、及び当該店舗の属性情報のうち少なくとも何れか一つを含む店舗情報を、通信手段を介してサーバ装置から店舗毎に取得する店舗情報取得手段、
ユーザの空き時間枠を示すユーザ時間枠情報を取得する時間枠情報取得手段、
前記取得されたユーザ時間枠情報と、前記取得された各前記店舗の店舗情報に基づいて、当該ユーザ時間枠情報に示される時間枠内に前記ユーザが利用可能な前記店舗の組合せを決定する店舗組合せ決定手段、及び
前記決定された組合せにおける前記店舗の提供情報を表示させる表示制御手段として機能させることを特徴とする端末用プログラム。
【請求項１９】
端末装置に含まれるコンピュータを、
商品又はサービスを提供する店舗の位置情報、当該店舗の利用時間情報、及び当該店舗の属性情報のうち少なくとも何れか一つを含む店舗情報を、通信手段を介してサーバ装置から店舗毎に取得する店舗情報取得手段、
ユーザの空き時間枠を示すユーザ時間枠情報を取得する時間枠情報取得手段、
前記取得されたユーザ時間枠情報と、前記取得された各前記店舗の店舗情報に基づいて、当該ユーザ時間枠情報に示される時間枠内に前記ユーザが利用可能な前記店舗の組合せを決定する店舗組合せ決定手段、及び
前記決定された組合せにおける前記店舗の提供情報を表示させる表示制御手段として機能させる端末用プログラムが記録された記録媒体。
【手続補正２】
【補正対象書類名】明細書
【補正対象項目名】００２５
【補正方法】変更
【補正の内容】
【００２５】
請求項１２に記載の発明は、請求項１乃至９の何れか一項に記載のサーバ装置において、前記決定された組合せにおける前記店舗の前記提供情報の利用を認識する利用認識手段と、前記認識された利用の時刻と前記時間枠とから前記時間枠における残り時間を算出する残り時間算出手段と、を備え、前記店舗組合せ決定手段は、前記残り時間を算出するタイミングで当該残り時間内に前記ユーザが利用可能な前記店舗の組合せを再決定することを特徴とする。請求項１３に記載の発明は、請求項１乃至１２の何れか一項に記載のサーバ装置において、前記提供情報は、前記店舗からユーザが受けられる特典を示す特典情報であることを特徴とする。この発明によれば、ユーザは店舗において商品やサービスに対する支払いの際に割引等の特典を受けることができるので店舗を利用する意欲が増し、店舗側はより多くの顧客を集客することができる。
【手続補正３】
【補正対象書類名】明細書
【補正対象項目名】００２６
【補正方法】変更
【補正の内容】
【００２６】
請求項１４に記載の発明は、端末装置が通信手段を介してアクセス可能なサーバ装置に含まれるコンピュータを、ユーザの空き時間枠を示すユーザ時間枠情報を取得する時間枠情報取得手段、商品又はサービスを提供する店舗の位置情報、当該店舗の利用時間情報、及び当該店舗の属性情報のうち少なくとも何れか一つを含む店舗情報と、当該店舗からの提供情報とを店舗毎に記憶する店舗情報記憶手段に記憶された各前記店舗の店舗情報と、前記取得されたユーザ時間枠情報とに基づいて、当該ユーザ時間枠情報に示される時間枠内に前記ユーザが利用可能な前記店舗の組合せを決定する店舗組合せ決定手段、及び前記決定された組合せにおける前記店舗の提供情報を前記ユーザの端末装置に送信する提供情報送信手段として機能させることを特徴とする情報提供プログラム（コンピュータ読み取り可能なプログラム）である。
【手続補正４】
【補正対象書類名】明細書
【補正対象項目名】００２７
【補正方法】変更
【補正の内容】
【００２７】
請求項１５に記載の発明は、端末装置が通信手段を介してアクセス可能なサーバ装置に含まれるコンピュータを、ユーザの空き時間枠を示すユーザ時間枠情報を取得する時間枠情報取得手段、商品又はサービスを提供する店舗の位置情報、当該店舗の利用時間情報、及び当該店舗の属性情報のうち少なくとも何れか一つを含む店舗情報と、当該店舗からの提供情報とを店舗毎に記憶する店舗情報記憶手段に記憶された各前記店舗の店舗情報と、前記取得されたユーザ時間枠情報とに基づいて、当該ユーザ時間枠情報に示される時間枠内に前記ユーザが利用可能な前記店舗の組合せを決定する店舗組合せ決定手段、及び前記決定された組合せにおける前記店舗の提供情報を前記ユーザの端末装置に送信する提供情報送信手段として機能させる情報提供プログラムが記録された記録媒体である。
【手続補正５】
【補正対象書類名】明細書
【補正対象項目名】００２８
【補正方法】変更
【補正の内容】
【００２８】
請求項１６に記載の発明は、端末装置が通信手段を介してアクセス可能なサーバ装置おける情報提供方法であって、前記サーバ装置が、ユーザの空き時間枠を示すユーザ時間枠情報を取得するステップと、前記サーバ装置が、商品又はサービスを提供する店舗の位置情報、当該店舗の利用時間情報、及び当該店舗の属性情報のうち少なくとも何れか一つを含む店舗情報と、当該店舗からの提供情報とを店舗毎に記憶する店舗情報記憶手段に記憶された各前記店舗の店舗情報と、前記取得されたユーザ時間枠情報とに基づいて、当該ユーザ時間枠情報に示される時間枠内に前記ユーザが利用可能な前記店舗の組合せを決定するステップと、前記サーバ装置が、前記決定された組合せにおける前記店舗の提供情報を前記ユーザの端末装置に送信するステップと、を含むことを特徴とする。
【手続補正６】
【補正対象書類名】明細書
【補正対象項目名】００２９
【補正方法】変更
【補正の内容】
【００２９】
請求項１７に記載の発明は、商品又はサービスを提供する店舗の位置情報、当該店舗の利用時間情報、及び当該店舗の属性情報のうち少なくとも何れか一つを含む店舗情報を、通信手段を介してサーバ装置から店舗毎に取得する店舗情報取得手段と、ユーザの空き時間枠を示すユーザ時間枠情報を取得する時間枠情報取得手段と、前記取得されたユーザ時間枠情報と、前記取得された各前記店舗の店舗情報に基づいて、当該ユーザ時間枠情報に示される時間枠内に前記ユーザが利用可能な前記店舗の組合せを決定する店舗組合せ決定手段と、前記決定された組合せにおける前記店舗の提供情報を表示させる表示制御手段と、を備えることを特徴とする。
【手続補正７】
【補正対象書類名】明細書
【補正対象項目名】００３０
【補正方法】変更
【補正の内容】
【００３０】
請求項１８に記載の発明は、端末装置に含まれるコンピュータを、商品又はサービスを提供する店舗の位置情報、当該店舗の利用時間情報、及び当該店舗の属性情報のうち少なくとも何れか一つを含む店舗情報を、通信手段を介してサーバ装置から店舗毎に取得する店舗情報取得手段、ユーザの空き時間枠を示すユーザ時間枠情報を取得する時間枠情報取得手段、前記取得されたユーザ時間枠情報と、前記取得された各前記店舗の店舗情報に基づいて、当該ユーザ時間枠情報に示される時間枠内に前記ユーザが利用可能な前記店舗の組合せを決定する店舗組合せ決定手段、及び前記決定された組合せにおける前記店舗の提供情報を表示させる表示制御手段として機能させることを特徴とする端末用プログラム（コンピュータ読み取り可能なプログラム）である。
【手続補正８】
【補正対象書類名】明細書
【補正対象項目名】００３１
【補正方法】変更
【補正の内容】
【００３１】
請求項１９に記載の発明は、端末装置に含まれるコンピュータを、商品又はサービスを提供する店舗の位置情報、当該店舗の利用時間情報、及び当該店舗の属性情報のうち少なくとも何れか一つを含む店舗情報を、通信手段を介してサーバ装置から店舗毎に取得する店舗情報取得手段、ユーザの空き時間枠を示すユーザ時間枠情報を取得する時間枠情報取得手段、前記取得されたユーザ時間枠情報と、前記取得された各前記店舗の店舗情報に基づいて、当該ユーザ時間枠情報に示される時間枠内に前記ユーザが利用可能な前記店舗の組合せを決定する店舗組合せ決定手段、及び前記決定された組合せにおける前記店舗の提供情報を表示させる表示制御手段として機能させる端末用プログラムが記録された記録媒体である。
【手続補正書】
【提出日】平成24年8月20日(2012.8.20)
【手続補正１】
【補正対象書類名】特許請求の範囲
【補正対象項目名】全文
【補正方法】変更
【補正の内容】
【特許請求の範囲】
【請求項１】
端末装置が通信手段を介してアクセス可能なサーバ装置において、
ユーザの空き時間枠を示すユーザ時間枠情報を取得する時間枠情報取得手段と、
商品又はサービスを提供する店舗の位置情報、当該店舗の利用時間情報、及び当該店舗の属性情報のうち少なくとも何れか一つを含む店舗情報と、当該店舗からの提供情報とを店舗毎に記憶する店舗情報記憶手段に記憶された各前記店舗の店舗情報と、前記取得されたユーザ時間枠情報とに基づいて、当該ユーザ時間枠情報に示される時間枠内に前記ユーザが利用可能な前記店舗の組合せを決定する店舗組合せ決定手段と、
前記決定された組合せにおける前記店舗の提供情報を前記ユーザの端末装置に送信する提供情報送信手段と、
前記決定された組合せにおける前記店舗の前記提供情報の利用を認識する利用認識手段と、
前記認識された利用の時刻と前記時間枠とから前記時間枠における残り時間を算出する残り時間算出手段と、
を備え、
前記店舗組合せ決定手段は、前記残り時間を算出するタイミングで当該残り時間内に前記ユーザが利用可能な前記店舗の組合せを再決定することを特徴とするサーバ装置。
【請求項２】
端末装置が通信手段を介してアクセス可能なサーバ装置において、
ユーザの空き時間枠を示すユーザ時間枠情報を取得する時間枠情報取得手段と、
前記ユーザが商品又はサービスを提供する店舗を利用可能な利用時間であって、該ユーザの情報に応じた利用時間の長さを示す利用時間情報を設定する利用時間情報設定手段と、
前記取得されたユーザ時間枠情報と、前記設定された利用時間情報に基づいて、前記空き時間枠内に前記ユーザが利用可能な前記店舗の組合せを決定する店舗組合せ決定手段と、
前記決定された組合せにおける前記店舗の提供情報を前記ユーザの端末装置に送信する提供情報送信手段と、
を備えることを特徴とするサーバ装置。
【請求項３】
請求項２に記載のサーバ装置において、
前記ユーザの属性情報を取得する属性情報取得手段を更に備え、
前記利用時間情報設定手段は、前記取得された属性情報に基づいて、前記利用時間情報を設定し、
前記店舗組合せ決定手段は、前記取得されたユーザ時間枠情報と、前記設定された利用時間情報に基づいて、前記時間枠内に前記ユーザが利用可能な前記店舗の組合せを決定することを特徴とするサーバ装置。
【請求項４】
請求項２に記載のサーバ装置において、
前記ユーザによる過去の店舗の利用履歴情報を取得する利用履歴情報取得手段を更に備え、
前記利用時間情報設定手段は、前記取得された利用履歴情報に基づいて、前記利用時間情報を設定し、
前記店舗組合せ決定手段は、前記取得されたユーザ時間枠情報と、前記設定された利用時間情報に基づいて、前記時間枠内に前記ユーザが利用可能な前記店舗の組合せを決定することを特徴とするサーバ装置。
【請求項５】
請求項１乃至４の何れか一項に記載のサーバ装置において、
前記店舗組合せ決定手段は、前記取得されたユーザ時間枠情報で示される前記ユーザの空き時間枠と、前記店舗情報に含まれる店舗時間枠情報で示される前記店舗の空き時間枠とに基づいて、前記ユーザの空き時間枠の少なくとも一部が重なる前記店舗の空き時間枠を有する前記店舗の組合せを決定することを特徴とするサーバ装置。
【請求項６】
請求項１乃至５の何れか一項に記載のサーバ装置において、
前記ユーザのスケジュール情報を取得するスケジュール情報取得手段を備え、
前記時間枠情報取得手段は、前記取得されたスケジュール情報から所定の条件を満たす前記ユーザ時間枠情報を所定のタイミングで取得することを特徴とするサーバ装置。
【請求項７】
請求項１乃至６の何れか一項に記載のサーバ装置において、
前記ユーザの位置情報を前記端末装置から取得する位置情報取得手段を備え、
前記店舗組合せ決定手段は、前記取得されたユーザ時間枠情報と、前記取得されたユーザの位置情報と、前記店舗の位置情報に基づいて、前記時間枠内に前記ユーザが利用可能な前記店舗の組合せを決定することを特徴とするサーバ装置。
【請求項８】
請求項１乃至７の何れか一項に記載のサーバ装置において、
前記ユーザが移動するエリアを示すエリア情報を取得するエリア情報取得手段を備え、
前記店舗組合せ決定手段は、前記取得されたユーザ時間枠情報と、前記取得されたエリア情報と、前記店舗の位置情報に基づいて、前記時間枠内に前記ユーザが利用可能な前記店舗の組合せを決定することを特徴とするサーバ装置。
【請求項９】
請求項１乃至８の何れか一項に記載のサーバ装置において、
前記ユーザが複数の店舗を利用する目的、テーマ、及びジャンルのうち少なくとも何れか一つを含む利用条件情報を取得する利用条件情報取得手段を備え、
前記店舗組合せ決定手段は、前記取得されたユーザ時間枠情報と、前記取得された利用条件情報と、前記店舗の属性情報に基づいて、前記時間枠内に前記ユーザが利用可能な前記店舗の組合せを決定することを特徴とするサーバ装置。
【請求項１０】
請求項１乃至９何れか一項に記載のサーバ装置において、
前記ユーザが前記時間枠内で初めに利用を望む店舗を示す出発店舗情報を取得する出発店舗情報取得手段を備え、
前記店舗組合せ決定手段は、前記取得された出発店舗情報に示される店舗を出発店舗として含む前記店舗の組合せを決定することを特徴とするサーバ装置。
【請求項１１】
請求項１乃至１０の何れか一項に記載のサーバ装置において、
前記提供情報は、前記店舗からユーザが受けられる特典を示す特典情報であることを特徴とするサーバ装置。
【請求項１２】
端末装置が通信手段を介してアクセス可能なサーバ装置に含まれるコンピュータを、
ユーザの空き時間枠を示すユーザ時間枠情報を取得する時間枠情報取得手段、
商品又はサービスを提供する店舗の位置情報、当該店舗の利用時間情報、及び当該店舗の属性情報のうち少なくとも何れか一つを含む店舗情報と、当該店舗からの提供情報とを店舗毎に記憶する店舗情報記憶手段に記憶された各前記店舗の店舗情報と、前記取得されたユーザ時間枠情報とに基づいて、当該ユーザ時間枠情報に示される時間枠内に前記ユーザが利用可能な前記店舗の組合せを決定する店舗組合せ決定手段、
前記決定された組合せにおける前記店舗の提供情報を前記ユーザの端末装置に送信する提供情報送信手段、
前記決定された組合せにおける前記店舗の前記提供情報の利用を認識する利用認識手段、及び、前記認識された利用の時刻と前記時間枠とから前記時間枠における残り時間を算出する残り時間算出手段として機能させ、
前記店舗組合せ決定手段が前記残り時間を算出するタイミングで当該残り時間内に前記ユーザが利用可能な前記店舗の組合せを再決定するように機能させることを特徴とする情報提供プログラム。
【請求項１３】
端末装置が通信手段を介してアクセス可能なサーバ装置おける情報提供方法であって、
前記サーバ装置が、ユーザの空き時間枠を示すユーザ時間枠情報を取得するステップと、
前記サーバ装置が、商品又はサービスを提供する店舗の位置情報、当該店舗の利用時間情報、及び当該店舗の属性情報のうち少なくとも何れか一つを含む店舗情報と、当該店舗からの提供情報とを店舗毎に記憶する店舗情報記憶手段に記憶された各前記店舗の店舗情報と、前記取得されたユーザ時間枠情報とに基づいて、当該ユーザ時間枠情報に示される時間枠内に前記ユーザが利用可能な前記店舗の組合せを決定する店舗組合せ決定ステップと、
前記サーバ装置が、前記決定された組合せにおける前記店舗の提供情報を前記ユーザの端末装置に送信するステップと、
前記決定された組合せにおける前記店舗の前記提供情報の利用を認識するステップと、
前記認識された利用の時刻と前記時間枠とから前記時間枠における残り時間を算出するステップと、
を含み、
前記店舗組合せ決定ステップにおいては、前記残り時間を算出するタイミングで当該残り時間内に前記ユーザが利用可能な前記店舗の組合せを再決定することを特徴とする情報提供方法。
【請求項１４】
商品又はサービスを提供する店舗の位置情報、当該店舗の利用時間情報、及び当該店舗の属性情報のうち少なくとも何れか一つを含む店舗情報を、通信手段を介してサーバ装置から店舗毎に取得する店舗情報取得手段と、
ユーザの空き時間枠を示すユーザ時間枠情報を取得する時間枠情報取得手段と、
前記取得されたユーザ時間枠情報と、前記取得された各前記店舗の店舗情報に基づいて、当該ユーザ時間枠情報に示される時間枠内に前記ユーザが利用可能な前記店舗の組合せを決定する店舗組合せ決定手段と、
前記決定された組合せにおける前記店舗の提供情報を表示させる表示制御手段と、
前記決定された組合せにおける前記店舗の前記提供情報の利用を認識する利用認識手段と、
前記認識された利用の時刻と前記時間枠とから前記時間枠における残り時間を算出する残り時間算出手段と、
を備え、
前記店舗組合せ決定手段は、前記残り時間を算出するタイミングで当該残り時間内に前記ユーザが利用可能な前記店舗の組合せを再決定することを特徴とする端末装置。
【請求項１５】
端末装置に含まれるコンピュータを、
商品又はサービスを提供する店舗の位置情報、当該店舗の利用時間情報、及び当該店舗の属性情報のうち少なくとも何れか一つを含む店舗情報を、通信手段を介してサーバ装置から店舗毎に取得する店舗情報取得手段、
ユーザの空き時間枠を示すユーザ時間枠情報を取得する時間枠情報取得手段、
前記取得されたユーザ時間枠情報と、前記取得された各前記店舗の店舗情報に基づいて、当該ユーザ時間枠情報に示される時間枠内に前記ユーザが利用可能な前記店舗の組合せを決定する店舗組合せ決定手段、
前記決定された組合せにおける前記店舗の提供情報を表示させる表示制御手段、
前記決定された組合せにおける前記店舗の前記提供情報の利用を認識する利用認識手段、及び、前記認識された利用の時刻と前記時間枠とから前記時間枠における残り時間を算出する残り時間算出手段として機能させ、
前記店舗組合せ決定手段が前記残り時間を算出するタイミングで当該残り時間内に前記ユーザが利用可能な前記店舗の組合せを再決定するように機能させることを特徴とする端末用プログラム。
【請求項１６】
端末装置が通信手段を介してアクセス可能なサーバ装置に含まれるコンピュータを、
ユーザの空き時間枠を示すユーザ時間枠情報を取得する時間枠情報取得手段、
前記ユーザが商品又はサービスを提供する店舗を利用可能な利用時間であって、該ユーザの情報に応じた利用時間の長さを示す利用時間情報を設定する利用時間情報設定手段、
前記取得されたユーザ時間枠情報と、前記設定された利用時間情報に基づいて、前記空き時間枠内に前記ユーザが利用可能な前記店舗の組合せを決定する店舗組合せ決定手段、及び
前記決定された組合せにおける前記店舗の提供情報を前記ユーザの端末装置に送信する提供情報送信手段として機能させることを特徴とする情報提供プログラム。
【請求項１７】
端末装置が通信手段を介してアクセス可能なサーバ装置おける情報提供方法であって、
前記サーバ装置が、ユーザの空き時間枠を示すユーザ時間枠情報を取得するステップと、
前記サーバ装置が、前記ユーザが商品又はサービスを提供する店舗を利用可能な利用時間であって、該ユーザの情報に応じた利用時間の長さを示す利用時間情報を設定するステップと、
前記サーバ装置が、前記取得されたユーザ時間枠情報と、前記設定された利用時間情報に基づいて、前記空き時間枠内に前記ユーザが利用可能な前記店舗の組合せを決定する店舗組合せステップと、
前記サーバ装置が、前記決定された組合せにおける前記店舗の提供情報を前記ユーザの端末装置に送信するステップと、
を含むことを特徴とする情報提供方法。
【請求項１８】
ユーザの空き時間枠を示すユーザ時間枠情報を取得する時間枠情報取得手段と、
前記ユーザが商品又はサービスを提供する店舗を利用可能な利用時間であって、該ユーザの情報に応じた利用時間の長さを示す利用時間情報を設定する利用時間情報設定手段と、
前記取得されたユーザ時間枠情報と、前記設定された利用時間情報に基づいて、前記空き時間枠内に前記ユーザが利用可能な前記店舗の組合せを決定する店舗組合せ決定手段と、
前記決定された組合せにおける前記店舗の提供情報を表示させる表示制御手段と、
を備えることを特徴とする端末装置。
【請求項１９】
端末装置に含まれるコンピュータを、
ユーザの空き時間枠を示すユーザ時間枠情報を取得する時間枠情報取得手段、
前記ユーザが商品又はサービスを提供する店舗を利用可能な利用時間であって、該ユーザの情報に応じた利用時間の長さを示す利用時間情報を設定する利用時間情報設定手段、
前記取得されたユーザ時間枠情報と、前記設定された利用時間情報に基づいて、前記空き時間枠内に前記ユーザが利用可能な前記店舗の組合せを決定する店舗組合せ決定手段、及び、前記決定された組合せにおける前記店舗の提供情報を表示させる表示制御手段として機能させることを特徴とする端末用プログラム。
【手続補正２】
【補正対象書類名】明細書
【補正対象項目名】０００７
【補正方法】変更
【補正の内容】
【０００７】
上記課題を解決するために、請求項１に記載の発明は、端末装置が通信手段を介してアクセス可能なサーバ装置において、ユーザの空き時間枠を示すユーザ時間枠情報を取得する時間枠情報取得手段と、商品又はサービスを提供する店舗の位置情報、当該店舗の利用時間情報、及び当該店舗の属性情報のうち少なくとも何れか一つを含む店舗情報と、当該店舗からの提供情報とを店舗毎に記憶する店舗情報記憶手段に記憶された各前記店舗の店舗情報と、前記取得されたユーザ時間枠情報とに基づいて、当該ユーザ時間枠情報に示される時間枠内に前記ユーザが利用可能な前記店舗の組合せを決定する店舗組合せ決定手段と、前記決定された組合せにおける前記店舗の提供情報を前記ユーザの端末装置に送信する提供情報送信手段と、前記決定された組合せにおける前記店舗の前記提供情報の利用を認識する利用認識手段と、前記認識された利用の時刻と前記時間枠とから前記時間枠における残り時間を算出する残り時間算出手段と、を備え、前記店舗組合せ決定手段は、前記残り時間を算出するタイミングで当該残り時間内に前記ユーザが利用可能な前記店舗の組合せを再決定することを特徴とする。
【手続補正３】
【補正対象書類名】明細書
【補正対象項目名】０００８
【補正方法】変更
【補正の内容】
【０００８】
この発明によれば、ユーザに対して、上記残り時間を算出するタイミングで該残り時間に応じた店舗の提供情報をより柔軟に提供することができる。
【手続補正４】
【補正対象書類名】明細書
【補正対象項目名】０００９
【補正方法】変更
【補正の内容】
【０００９】
請求項２に記載の発明は、請求項１に記載のサーバ装置において、端末装置が通信手段を介してアクセス可能なサーバ装置において、ユーザの空き時間枠を示すユーザ時間枠情報を取得する時間枠情報取得手段と、前記ユーザが商品又はサービスを提供する店舗を利用可能な利用時間であって、該ユーザの情報に応じた利用時間の長さを示す利用時間情報を設定する利用時間情報設定手段と、前記取得されたユーザ時間枠情報と、前記設定された利用時間情報に基づいて、前記空き時間枠内に前記ユーザが利用可能な前記店舗の組合せを決定する店舗組合せ決定手段と、前記決定された組合せにおける前記店舗の提供情報を前記ユーザの端末装置に送信する提供情報送信手段と、を備えることを特徴とする。
【手続補正５】
【補正対象書類名】明細書
【補正対象項目名】００１０
【補正方法】変更
【補正の内容】
【００１０】
この発明によれば、ユーザ側の情報に合った利用時間の長さで利用可能な店舗を含む店舗の組合せを決定することができるので、ユーザに合った店舗の組合せに係る情報を柔軟に提供することができる。
【手続補正６】
【補正対象書類名】明細書
【補正対象項目名】００１１
【補正方法】変更
【補正の内容】
【００１１】
請求項３に記載の発明は、請求項２に記載のサーバ装置において、前記ユーザの属性情報を取得する属性情報取得手段を更に備え、前記利用時間情報設定手段は、前記取得された属性情報に基づいて、前記利用時間情報を設定し、前記店舗組合せ決定手段は、前記取得されたユーザ時間枠情報と、前記設定された利用時間情報に基づいて、前記時間枠内に前記ユーザが利用可能な前記店舗の組合せを決定することを特徴とする。
【手続補正７】
【補正対象書類名】明細書
【補正対象項目名】００１２
【補正方法】変更
【補正の内容】
【００１２】
この発明によれば、ユーザの情報であるユーザの属性に合った店舗を含む店舗の組合せを決定することができるので、ユーザは上記時間枠で自身の属性に合った複数の店舗を利用することが可能となる。
【手続補正８】
【補正対象書類名】明細書
【補正対象項目名】００１３
【補正方法】変更
【補正の内容】
【００１３】
請求項４に記載の発明は、請求項２に記載のサーバ装置において、前記ユーザによる過去の店舗の利用履歴情報を取得する利用履歴情報取得手段を更に備え、前記利用時間情報設定手段は、前記取得された利用履歴情報に基づいて、前記利用時間情報を設定し、前記店舗組合せ決定手段は、前記取得されたユーザ時間枠情報と、前記設定された利用時間情報に基づいて、前記時間枠内に前記ユーザが利用可能な前記店舗の組合せを決定することを特徴とする。
【手続補正９】
【補正対象書類名】明細書
【補正対象項目名】００１４
【補正方法】変更
【補正の内容】
【００１４】
この発明によれば、ユーザの情報であるユーザの過去の利用履歴に合った店舗を含む店舗の組合せを決定することができるので、ユーザは空き時間枠で過去に利用した複数の店舗を優先して利用することが可能となる。
【手続補正１０】
【補正対象書類名】明細書
【補正対象項目名】００１５
【補正方法】変更
【補正の内容】
【００１５】
請求項５に記載の発明は、請求項１乃至４の何れか一項に記載のサーバ装置において、前記店舗組合せ決定手段は、前記取得されたユーザ時間枠情報で示される前記ユーザの空き時間枠と、前記店舗情報に含まれる店舗時間枠情報で示される前記店舗の空き時間枠とに基づいて、前記ユーザの空き時間枠の少なくとも一部が重なる前記店舗の空き時間枠を有する前記店舗の組合せを決定することを特徴とする。
【手続補正１１】
【補正対象書類名】明細書
【補正対象項目名】００１６
【補正方法】変更
【補正の内容】
【００１６】
この発明によれば、ユーザの空き時間と店舗の空き時間とをマッチングさせることができ、ユーザがより利用し易い提供情報を柔軟に提供することができる。
【手続補正１２】
【補正対象書類名】明細書
【補正対象項目名】００１７
【補正方法】変更
【補正の内容】
【００１７】
請求項６に記載の発明は、請求項１乃至５の何れか一項に記載のサーバ装置において、前記ユーザのスケジュール情報を取得するスケジュール情報取得手段を備え、前記時間枠情報取得手段は、前記取得されたスケジュール情報から所定の条件を満たす前記ユーザ時間枠情報を所定のタイミングで取得することを特徴とする。
【手続補正１３】
【補正対象書類名】明細書
【補正対象項目名】００１８
【補正方法】変更
【補正の内容】
【００１８】
この発明によれば、ユーザに対して、店舗の利用が可能となる時間枠に応じた店舗の提供情報を、よりタイムリーに提供することが可能となる。
【手続補正１４】
【補正対象書類名】明細書
【補正対象項目名】００１９
【補正方法】変更
【補正の内容】
【００１９】
請求項７に記載の発明は、請求項１乃至６の何れか一項に記載のサーバ装置において、前記ユーザの位置情報を前記端末装置から取得する位置情報取得手段を備え、前記店舗組合せ決定手段は、前記取得されたユーザ時間枠情報と、前記取得されたユーザの位置情報と、前記店舗の位置情報に基づいて、前記時間枠内に前記ユーザが利用可能な前記店舗の組合せを決定することを特徴とする。
【手続補正１５】
【補正対象書類名】明細書
【補正対象項目名】００２０
【補正方法】変更
【補正の内容】
【００２０】
この発明によれば、ユーザの現在位置を考慮した店舗を含む店舗の組合せを決定することができるので、ユーザは時間枠で今から行き易い店舗から利用することが可能となる。
【手続補正１６】
【補正対象書類名】明細書
【補正対象項目名】００２１
【補正方法】変更
【補正の内容】
【００２１】
請求項８に記載の発明は、請求項１乃至７の何れか一項に記載のサーバ装置において、前記ユーザが移動するエリアを示すエリア情報を取得するエリア情報取得手段を備え、前記店舗組合せ決定手段は、前記取得されたユーザ時間枠情報と、前記取得されたエリア情報と、前記店舗の位置情報に基づいて、前記時間枠内に前記ユーザが利用可能な前記店舗の組合せを決定する。この発明によれば、ユーザが指定したエリアを考慮した店舗を含む店舗の組合せを決定することができるので、ユーザは時間枠で今から回遊したい地域における複数の店舗を利用することが可能となる。
【手続補正１７】
【補正対象書類名】明細書
【補正対象項目名】００２２
【補正方法】変更
【補正の内容】
【００２２】
請求項９に記載の発明は、請求項１乃至８の何れか一項に記載のサーバ装置において、前記ユーザが複数の店舗を利用する目的、テーマ、及びジャンルのうち少なくとも何れか一つを含む利用条件情報を取得する利用条件情報取得手段を備え、前記店舗組合せ決定手段は、前記取得されたユーザ時間枠情報と、前記取得された利用条件情報と、前記店舗の属性情報に基づいて、前記時間枠内に前記ユーザが利用可能な前記店舗の組合せを決定することを特徴とする。この発明によれば、ユーザにより指定された目的、テーマ、及びジャンルのうち少なくとも何れか一つに合った店舗を含む店舗の組合せを決定することができるので、ユーザは時間枠で自身の嗜好に合った複数の店舗を利用することが可能となる。
【手続補正１８】
【補正対象書類名】明細書
【補正対象項目名】００２３
【補正方法】変更
【補正の内容】
【００２３】
請求項１０に記載の発明は、請求項１乃至９の何れか一項に記載のサーバ装置において、前記ユーザが前記時間枠内で初めに利用を望む店舗を示す出発店舗情報を取得する出発店舗情報取得手段を備え、前記店舗組合せ決定手段は、前記取得された出発店舗情報に示される店舗を出発店舗として含む前記店舗の組合せを決定することを特徴とする。この発明によれば、ユーザが初めに行きたい店舗を出発店舗として含む店舗の組合せを決定することができるので、ユーザは時間枠で初めに行きたい店舗から利用することが可能となる。
【手続補正１９】
【補正対象書類名】明細書
【補正対象項目名】００２４
【補正方法】変更
【補正の内容】
【００２４】
請求項１１に記載の発明は、請求項１乃至１０の何れか一項に記載のサーバ装置において、前記提供情報は、前記店舗からユーザが受けられる特典を示す特典情報であることを特徴とする。この発明によれば、ユーザは店舗において商品やサービスに対する支払いの際に割引等の特典を受けることができるので店舗を利用する意欲が増し、店舗側はより多くの顧客を集客することができる。
【手続補正２０】
【補正対象書類名】明細書
【補正対象項目名】００２５
【補正方法】変更
【補正の内容】
【００２５】
請求項１２に記載の発明は、端末装置が通信手段を介してアクセス可能なサーバ装置に含まれるコンピュータを、ユーザの空き時間枠を示すユーザ時間枠情報を取得する時間枠情報取得手段、商品又はサービスを提供する店舗の位置情報、当該店舗の利用時間情報、及び当該店舗の属性情報のうち少なくとも何れか一つを含む店舗情報と、当該店舗からの提供情報とを店舗毎に記憶する店舗情報記憶手段に記憶された各前記店舗の店舗情報と、前記取得されたユーザ時間枠情報とに基づいて、当該ユーザ時間枠情報に示される時間枠内に前記ユーザが利用可能な前記店舗の組合せを決定する店舗組合せ決定手段、前記決定された組合せにおける前記店舗の提供情報を前記ユーザの端末装置に送信する提供情報送信手段、前記決定された組合せにおける前記店舗の前記提供情報の利用を認識する利用認識手段、及び、前記認識された利用の時刻と前記時間枠とから前記時間枠における残り時間を算出する残り時間算出手段として機能させ、前記店舗組合せ決定手段が前記残り時間を算出するタイミングで当該残り時間内に前記ユーザが利用可能な前記店舗の組合せを再決定するように機能させることを特徴とする情報提供プログラム（コンピュータ読み取り可能なプログラム）である。
【手続補正２１】
【補正対象書類名】明細書
【補正対象項目名】００２６
【補正方法】変更
【補正の内容】
【００２６】
請求項１３に記載の発明は、端末装置が通信手段を介してアクセス可能なサーバ装置おける情報提供方法であって、前記サーバ装置が、ユーザの空き時間枠を示すユーザ時間枠情報を取得するステップと、前記サーバ装置が、商品又はサービスを提供する店舗の位置情報、当該店舗の利用時間情報、及び当該店舗の属性情報のうち少なくとも何れか一つを含む店舗情報と、該店舗からの提供情報とを店舗毎に記憶する店舗情報記憶手段に記憶された各前記店舗の店舗情報と、前記取得されたユーザ時間枠情報とに基づいて、当該ユーザ時間枠情報に示される時間枠内に前記ユーザが利用可能な前記店舗の組合せを決定する店舗組合せ決定ステップと、前記サーバ装置が、前記決定された組合せにおける前記店舗の提供情報を前記ユーザの端末装置に送信するステップと、前記決定された組合せにおける前記店舗の前記提供情報の利用を認識するステップと、前記認識された利用の時刻と前記時間枠とから前記時間枠における残り時間を算出するステップと、を含み、前記店舗組合せ決定ステップにおいては、前記残り時間を算出するタイミングで当該残り時間内に前記ユーザが利用可能な前記店舗の組合せを再決定することを特徴とする。
【手続補正２２】
【補正対象書類名】明細書
【補正対象項目名】００２７
【補正方法】変更
【補正の内容】
【００２７】
請求項１４に記載の発明は、商品又はサービスを提供する店舗の位置情報、当該店舗の利用時間情報、及び当該店舗の属性情報のうち少なくとも何れか一つを含む店舗情報を、通信手段を介してサーバ装置から店舗毎に取得する店舗情報取得手段と、ユーザの空き時間枠を示すユーザ時間枠情報を取得する時間枠情報取得手段と、前記取得されたユーザ時間枠情報と、前記取得された各前記店舗の店舗情報に基づいて、当該ユーザ時間枠情報に示される時間枠内に前記ユーザが利用可能な前記店舗の組合せを決定する店舗組合せ決定手段と、前記決定された組合せにおける前記店舗の提供情報を表示させる表示制御手段と、前記決定された組合せにおける前記店舗の前記提供情報の利用を認識する利用認識手段と、前記認識された利用の時刻と前記時間枠とから前記時間枠における残り時間を算出する残り時間算出手段と、を備え、前記店舗組合せ決定手段は、前記残り時間を算出するタイミングで当該残り時間内に前記ユーザが利用可能な前記店舗の組合せを再決定することを特徴とする。
【手続補正２３】
【補正対象書類名】明細書
【補正対象項目名】００２８
【補正方法】変更
【補正の内容】
【００２８】
請求項１５に記載の発明は、端末装置に含まれるコンピュータを、商品又はサービスを提供する店舗の位置情報、当該店舗の利用時間情報、及び当該店舗の属性情報のうち少なくとも何れか一つを含む店舗情報を、通信手段を介してサーバ装置から店舗毎に取得する店舗情報取得手段、ユーザの空き時間枠を示すユーザ時間枠情報を取得する時間枠情報取得手段、前記取得されたユーザ時間枠情報と、前記取得された各前記店舗の店舗情報に基づいて、当該ユーザ時間枠情報に示される時間枠内に前記ユーザが利用可能な前記店舗の組合せを決定する店舗組合せ決定手段、前記決定された組合せにおける前記店舗の提供情報を表示させる表示制御手段、前記決定された組合せにおける前記店舗の前記提供情報の利用を認識する利用認識手段、及び、前記認識された利用の時刻と前記時間枠とから前記時間枠における残り時間を算出する残り時間算出手段として機能させ、前記店舗組合せ決定手段が前記残り時間を算出するタイミングで当該残り時間内に前記ユーザが利用可能な前記店舗の組合せを再決定するように機能させることを特徴とする端末用プログラム（コンピュータ読み取り可能なプログラム）である。
【手続補正２４】
【補正対象書類名】明細書
【補正対象項目名】００２９
【補正方法】変更
【補正の内容】
【００２９】
請求項１６に記載の発明は、端末装置が通信手段を介してアクセス可能なサーバ装置に含まれるコンピュータを、ユーザの空き時間枠を示すユーザ時間枠情報を取得する時間枠情報取得手段、前記ユーザが商品又はサービスを提供する店舗を利用可能な利用時間であって、該ユーザの情報に応じた利用時間の長さを示す利用時間情報を設定する利用時間情報設定手段、前記取得されたユーザ時間枠情報と、前記設定された利用時間情報に基づいて、前記空き時間枠内に前記ユーザが利用可能な前記店舗の組合せを決定する店舗組合せ決定手段、及び前記決定された組合せにおける前記店舗の提供情報を前記ユーザの端末装置に送信する提供情報送信手段として機能させることを特徴とする情報提供プログラム（コンピュータ読み取り可能なプログラム）である。
【手続補正２５】
【補正対象書類名】明細書
【補正対象項目名】００３０
【補正方法】変更
【補正の内容】
【００３０】
請求項１７に記載の発明は、端末装置が通信手段を介してアクセス可能なサーバ装置おける情報提供方法であって、前記サーバ装置が、ユーザの空き時間枠を示すユーザ時間枠情報を取得するステップと、前記サーバ装置が、前記ユーザが商品又はサービスを提供する店舗を利用可能な利用時間であって、該ユーザの情報に応じた利用時間の長さを示す利用時間情報を設定するステップと、前記サーバ装置が、前記取得されたユーザ時間枠情報と、前記設定された利用時間情報に基づいて、前記空き時間枠内に前記ユーザが利用可能な前記店舗の組合せを決定する店舗組合せステップと、前記サーバ装置が、前記決定された組合せにおける前記店舗の提供情報を前記ユーザの端末装置に送信するステップと、を含むことを特徴とする。
【手続補正２６】
【補正対象書類名】明細書
【補正対象項目名】００３１
【補正方法】変更
【補正の内容】
【００３１】
請求項１８に記載の発明は、ユーザの空き時間枠を示すユーザ時間枠情報を取得する時間枠情報取得手段と、前記ユーザが商品又はサービスを提供する店舗を利用可能な利用時間であって、該ユーザの情報に応じた利用時間の長さを示す利用時間情報を設定する利用時間情報設定手段と、前記取得されたユーザ時間枠情報と、前記設定された利用時間情報に基づいて、前記空き時間枠内に前記ユーザが利用可能な前記店舗の組合せを決定する店舗組合せ決定手段と、前記決定された組合せにおける前記店舗の提供情報を表示させる表示制御手段と、を備えることを特徴とする。請求項１９に記載の発明は、端末装置に含まれるコンピュータを、ユーザの空き時間枠を示すユーザ時間枠情報を取得する時間枠情報取得手段、前記ユーザが商品又はサービスを提供する店舗を利用可能な利用時間であって、該ユーザの情報に応じた利用時間の長さを示す利用時間情報を設定する利用時間情報設定手段、前記取得されたユーザ時間枠情報と、前記設定された利用時間情報に基づいて、前記空き時間枠内に前記ユーザが利用可能な前記店舗の組合せを決定する店舗組合せ決定手段、及び、前記決定された組合せにおける前記店舗の提供情報を表示させる表示制御手段として機能させることを特徴とする端末用プログラム（コンピュータ読み取り可能なプログラム）である。
【手続補正書】
【提出日】平成24年11月5日(2012.11.5)
【手続補正１】
【補正対象書類名】特許請求の範囲
【補正対象項目名】全文
【補正方法】変更
【補正の内容】
【特許請求の範囲】
【請求項１】
端末装置が通信手段を介してアクセス可能なサーバ装置において、
ユーザの空き時間枠を示すユーザ時間枠情報を取得する時間枠情報取得手段と、
商品又はサービスを提供する店舗の位置情報、当該店舗の利用時間情報、及び当該店舗の属性情報のうち少なくとも何れか一つを含む店舗情報と、当該店舗からの提供情報とを店舗毎に記憶する店舗情報記憶手段に記憶された各前記店舗の店舗情報と、前記取得されたユーザ時間枠情報とに基づいて、当該ユーザ時間枠情報に示される時間枠内に前記ユーザが利用可能な前記店舗の組合せを決定する店舗組合せ決定手段と、
前記決定された組合せにおける前記店舗の提供情報を前記ユーザの端末装置に送信する提供情報送信手段と、
前記決定された組合せにおける前記店舗の前記提供情報の利用を認識する利用認識手段と、
前記認識された利用の時刻と前記時間枠とから前記時間枠における残り時間を算出する残り時間算出手段と、
を備え、
前記店舗組合せ決定手段は、前記残り時間を算出するタイミングで当該残り時間内に前記ユーザが利用可能な前記店舗の組合せを再決定することを特徴とするサーバ装置。
【請求項２】
請求項１に記載のサーバ装置において、
前記店舗組合せ決定手段は、前記取得されたユーザ時間枠情報で示される前記ユーザの空き時間枠と、前記店舗情報に含まれる店舗時間枠情報で示される前記店舗の空き時間枠とに基づいて、前記ユーザの空き時間枠の少なくとも一部が重なる前記店舗の空き時間枠を有する前記店舗の組合せを決定することを特徴とするサーバ装置。
【請求項３】
請求項１または２に記載のサーバ装置において、
前記ユーザのスケジュール情報を取得するスケジュール情報取得手段を備え、
前記時間枠情報取得手段は、前記取得されたスケジュール情報から所定の条件を満たす前記ユーザ時間枠情報を所定のタイミングで取得することを特徴とするサーバ装置。
【請求項４】
請求項１乃至３の何れか一項に記載のサーバ装置において、
前記ユーザの位置情報を前記端末装置から取得する位置情報取得手段を備え、
前記店舗組合せ決定手段は、前記取得されたユーザ時間枠情報と、前記取得されたユーザの位置情報と、前記店舗の位置情報に基づいて、前記時間枠内に前記ユーザが利用可能な前記店舗の組合せを決定することを特徴とするサーバ装置。
【請求項５】
請求項１乃至４の何れか一項に記載のサーバ装置において、
前記ユーザが移動するエリアを示すエリア情報を取得するエリア情報取得手段を備え、
前記店舗組合せ決定手段は、前記取得されたユーザ時間枠情報と、前記取得されたエリア情報と、前記店舗の位置情報に基づいて、前記時間枠内に前記ユーザが利用可能な前記店舗の組合せを決定することを特徴とするサーバ装置。
【請求項６】
請求項１乃至５の何れか一項に記載のサーバ装置において、
前記ユーザが複数の店舗を利用する目的、テーマ、及びジャンルのうち少なくとも何れか一つを含む利用条件情報を取得する利用条件情報取得手段を備え、
前記店舗組合せ決定手段は、前記取得されたユーザ時間枠情報と、前記取得された利用条件情報と、前記店舗の属性情報に基づいて、前記時間枠内に前記ユーザが利用可能な前記店舗の組合せを決定することを特徴とするサーバ装置。
【請求項７】
請求項１乃至６何れか一項に記載のサーバ装置において、
前記ユーザが前記時間枠内で初めに利用を望む店舗を示す出発店舗情報を取得する出発店舗情報取得手段を備え、
前記店舗組合せ決定手段は、前記取得された出発店舗情報に示される店舗を出発店舗として含む前記店舗の組合せを決定することを特徴とするサーバ装置。
【請求項８】
請求項１乃至７の何れか一項に記載のサーバ装置において、
前記提供情報は、前記店舗からユーザが受けられる特典を示す特典情報であることを特徴とするサーバ装置。
【請求項９】
端末装置が通信手段を介してアクセス可能なサーバ装置に含まれるコンピュータを、
ユーザの空き時間枠を示すユーザ時間枠情報を取得する時間枠情報取得手段、
商品又はサービスを提供する店舗の位置情報、当該店舗の利用時間情報、及び当該店舗の属性情報のうち少なくとも何れか一つを含む店舗情報と、当該店舗からの提供情報とを店舗毎に記憶する店舗情報記憶手段に記憶された各前記店舗の店舗情報と、前記取得されたユーザ時間枠情報とに基づいて、当該ユーザ時間枠情報に示される時間枠内に前記ユーザが利用可能な前記店舗の組合せを決定する店舗組合せ決定手段、
前記決定された組合せにおける前記店舗の提供情報を前記ユーザの端末装置に送信する提供情報送信手段、
前記決定された組合せにおける前記店舗の前記提供情報の利用を認識する利用認識手段、及び、前記認識された利用の時刻と前記時間枠とから前記時間枠における残り時間を算出する残り時間算出手段として機能させ、
前記店舗組合せ決定手段が前記残り時間を算出するタイミングで当該残り時間内に前記ユーザが利用可能な前記店舗の組合せを再決定するように機能させることを特徴とする情報提供プログラム。
【請求項１０】
端末装置が通信手段を介してアクセス可能なサーバ装置おける情報提供方法であって、
前記サーバ装置が、ユーザの空き時間枠を示すユーザ時間枠情報を取得するステップと、
前記サーバ装置が、商品又はサービスを提供する店舗の位置情報、当該店舗の利用時間情報、及び当該店舗の属性情報のうち少なくとも何れか一つを含む店舗情報と、当該店舗からの提供情報とを店舗毎に記憶する店舗情報記憶手段に記憶された各前記店舗の店舗情報と、前記取得されたユーザ時間枠情報とに基づいて、当該ユーザ時間枠情報に示される時間枠内に前記ユーザが利用可能な前記店舗の組合せを決定する店舗組合せ決定ステップと、
前記サーバ装置が、前記決定された組合せにおける前記店舗の提供情報を前記ユーザの端末装置に送信するステップと、
前記決定された組合せにおける前記店舗の前記提供情報の利用を認識するステップと、
前記認識された利用の時刻と前記時間枠とから前記時間枠における残り時間を算出するステップと、
を含み、
前記店舗組合せ決定ステップにおいては、前記残り時間を算出するタイミングで当該残り時間内に前記ユーザが利用可能な前記店舗の組合せを再決定することを特徴とする情報提供方法。
【請求項１１】
商品又はサービスを提供する店舗の位置情報、当該店舗の利用時間情報、及び当該店舗の属性情報のうち少なくとも何れか一つを含む店舗情報を、通信手段を介してサーバ装置から店舗毎に取得する店舗情報取得手段と、
ユーザの空き時間枠を示すユーザ時間枠情報を取得する時間枠情報取得手段と、
前記取得されたユーザ時間枠情報と、前記取得された各前記店舗の店舗情報に基づいて、当該ユーザ時間枠情報に示される時間枠内に前記ユーザが利用可能な前記店舗の組合せを決定する店舗組合せ決定手段と、
前記決定された組合せにおける前記店舗の提供情報を表示させる表示制御手段と、
前記決定された組合せにおける前記店舗の前記提供情報の利用を認識する利用認識手段と、
前記認識された利用の時刻と前記時間枠とから前記時間枠における残り時間を算出する残り時間算出手段と、
を備え、
前記店舗組合せ決定手段は、前記残り時間を算出するタイミングで当該残り時間内に前記ユーザが利用可能な前記店舗の組合せを再決定することを特徴とする端末装置。
【請求項１２】
端末装置に含まれるコンピュータを、
商品又はサービスを提供する店舗の位置情報、当該店舗の利用時間情報、及び当該店舗の属性情報のうち少なくとも何れか一つを含む店舗情報を、通信手段を介してサーバ装置から店舗毎に取得する店舗情報取得手段、
ユーザの空き時間枠を示すユーザ時間枠情報を取得する時間枠情報取得手段、
前記取得されたユーザ時間枠情報と、前記取得された各前記店舗の店舗情報に基づいて、当該ユーザ時間枠情報に示される時間枠内に前記ユーザが利用可能な前記店舗の組合せを決定する店舗組合せ決定手段、
前記決定された組合せにおける前記店舗の提供情報を表示させる表示制御手段、
前記決定された組合せにおける前記店舗の前記提供情報の利用を認識する利用認識手段、及び、前記認識された利用の時刻と前記時間枠とから前記時間枠における残り時間を算出する残り時間算出手段として機能させ、
前記店舗組合せ決定手段が前記残り時間を算出するタイミングで当該残り時間内に前記ユーザが利用可能な前記店舗の組合せを再決定するように機能させることを特徴とする端末用プログラム。
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】変更
【補正の内容】
【００１５】
請求項２に記載の発明は、請求項１に記載のサーバ装置において、前記店舗組合せ決定手段は、前記取得されたユーザ時間枠情報で示される前記ユーザの空き時間枠と、前記店舗情報に含まれる店舗時間枠情報で示される前記店舗の空き時間枠とに基づいて、前記ユーザの空き時間枠の少なくとも一部が重なる前記店舗の空き時間枠を有する前記店舗の組合せを決定することを特徴とする。
【手続補正９】
【補正対象書類名】明細書
【補正対象項目名】００１７
【補正方法】変更
【補正の内容】
【００１７】
請求項３に記載の発明は、請求項１または２に記載のサーバ装置において、前記ユーザのスケジュール情報を取得するスケジュール情報取得手段を備え、前記時間枠情報取得手段は、前記取得されたスケジュール情報から所定の条件を満たす前記ユーザ時間枠情報を所定のタイミングで取得することを特徴とする。
【手続補正１０】
【補正対象書類名】明細書
【補正対象項目名】００１９
【補正方法】変更
【補正の内容】
【００１９】
請求項４に記載の発明は、請求項１乃至３の何れか一項に記載のサーバ装置において、前記ユーザの位置情報を前記端末装置から取得する位置情報取得手段を備え、前記店舗組合せ決定手段は、前記取得されたユーザ時間枠情報と、前記取得されたユーザの位置情報と、前記店舗の位置情報に基づいて、前記時間枠内に前記ユーザが利用可能な前記店舗の組合せを決定することを特徴とする。
【手続補正１１】
【補正対象書類名】明細書
【補正対象項目名】００２１
【補正方法】変更
【補正の内容】
【００２１】
請求項５に記載の発明は、請求項１乃至４の何れか一項に記載のサーバ装置において、前記ユーザが移動するエリアを示すエリア情報を取得するエリア情報取得手段を備え、前記店舗組合せ決定手段は、前記取得されたユーザ時間枠情報と、前記取得されたエリア情報と、前記店舗の位置情報に基づいて、前記時間枠内に前記ユーザが利用可能な前記店舗の組合せを決定する。この発明によれば、ユーザが指定したエリアを考慮した店舗を含む店舗の組合せを決定することができるので、ユーザは時間枠で今から回遊したい地域における複数の店舗を利用することが可能となる。
【手続補正１２】
【補正対象書類名】明細書
【補正対象項目名】００２２
【補正方法】変更
【補正の内容】
【００２２】
請求項６に記載の発明は、請求項１乃至５の何れか一項に記載のサーバ装置において、前記ユーザが複数の店舗を利用する目的、テーマ、及びジャンルのうち少なくとも何れか一つを含む利用条件情報を取得する利用条件情報取得手段を備え、前記店舗組合せ決定手段は、前記取得されたユーザ時間枠情報と、前記取得された利用条件情報と、前記店舗の属性情報に基づいて、前記時間枠内に前記ユーザが利用可能な前記店舗の組合せを決定することを特徴とする。この発明によれば、ユーザにより指定された目的、テーマ、及びジャンルのうち少なくとも何れか一つに合った店舗を含む店舗の組合せを決定することができるので、ユーザは時間枠で自身の嗜好に合った複数の店舗を利用することが可能となる。
【手続補正１３】
【補正対象書類名】明細書
【補正対象項目名】００２３
【補正方法】変更
【補正の内容】
【００２３】
請求項７に記載の発明は、請求項１乃至６の何れか一項に記載のサーバ装置において、前記ユーザが前記時間枠内で初めに利用を望む店舗を示す出発店舗情報を取得する出発店舗情報取得手段を備え、前記店舗組合せ決定手段は、前記取得された出発店舗情報に示される店舗を出発店舗として含む前記店舗の組合せを決定することを特徴とする。この発明によれば、ユーザが初めに行きたい店舗を出発店舗として含む店舗の組合せを決定することができるので、ユーザは時間枠で初めに行きたい店舗から利用することが可能となる。
【手続補正１４】
【補正対象書類名】明細書
【補正対象項目名】００２４
【補正方法】変更
【補正の内容】
【００２４】
請求項８に記載の発明は、請求項１乃至７の何れか一項に記載のサーバ装置において、前記提供情報は、前記店舗からユーザが受けられる特典を示す特典情報であることを特徴とする。この発明によれば、ユーザは店舗において商品やサービスに対する支払いの際に割引等の特典を受けることができるので店舗を利用する意欲が増し、店舗側はより多くの顧客を集客することができる。
【手続補正１５】
【補正対象書類名】明細書
【補正対象項目名】００２５
【補正方法】変更
【補正の内容】
【００２５】
請求項９に記載の発明は、端末装置が通信手段を介してアクセス可能なサーバ装置に含まれるコンピュータを、ユーザの空き時間枠を示すユーザ時間枠情報を取得する時間枠情報取得手段、商品又はサービスを提供する店舗の位置情報、当該店舗の利用時間情報、及び当該店舗の属性情報のうち少なくとも何れか一つを含む店舗情報と、当該店舗からの提供情報とを店舗毎に記憶する店舗情報記憶手段に記憶された各前記店舗の店舗情報と、前記取得されたユーザ時間枠情報とに基づいて、当該ユーザ時間枠情報に示される時間枠内に前記ユーザが利用可能な前記店舗の組合せを決定する店舗組合せ決定手段、前記決定された組合せにおける前記店舗の提供情報を前記ユーザの端末装置に送信する提供情報送信手段、前記決定された組合せにおける前記店舗の前記提供情報の利用を認識する利用認識手段、及び、前記認識された利用の時刻と前記時間枠とから前記時間枠における残り時間を算出する残り時間算出手段として機能させ、前記店舗組合せ決定手段が前記残り時間を算出するタイミングで当該残り時間内に前記ユーザが利用可能な前記店舗の組合せを再決定するように機能させることを特徴とする情報提供プログラム（コンピュータ読み取り可能なプログラム）である。
【手続補正１６】
【補正対象書類名】明細書
【補正対象項目名】００２６
【補正方法】変更
【補正の内容】
【００２６】
請求項１０に記載の発明は、端末装置が通信手段を介してアクセス可能なサーバ装置おける情報提供方法であって、前記サーバ装置が、ユーザの空き時間枠を示すユーザ時間枠情報を取得するステップと、前記サーバ装置が、商品又はサービスを提供する店舗の位置情報、当該店舗の利用時間情報、及び当該店舗の属性情報のうち少なくとも何れか一つを含む店舗情報と、該店舗からの提供情報とを店舗毎に記憶する店舗情報記憶手段に記憶された各前記店舗の店舗情報と、前記取得されたユーザ時間枠情報とに基づいて、当該ユーザ時間枠情報に示される時間枠内に前記ユーザが利用可能な前記店舗の組合せを決定する店舗組合せ決定ステップと、前記サーバ装置が、前記決定された組合せにおける前記店舗の提供情報を前記ユーザの端末装置に送信するステップと、前記決定された組合せにおける前記店舗の前記提供情報の利用を認識するステップと、前記認識された利用の時刻と前記時間枠とから前記時間枠における残り時間を算出するステップと、を含み、前記店舗組合せ決定ステップにおいては、前記残り時間を算出するタイミングで当該残り時間内に前記ユーザが利用可能な前記店舗の組合せを再決定することを特徴とする。
【手続補正１７】
【補正対象書類名】明細書
【補正対象項目名】００２７
【補正方法】変更
【補正の内容】
【００２７】
請求項１１に記載の発明は、商品又はサービスを提供する店舗の位置情報、当該店舗の利用時間情報、及び当該店舗の属性情報のうち少なくとも何れか一つを含む店舗情報を、通信手段を介してサーバ装置から店舗毎に取得する店舗情報取得手段と、ユーザの空き時間枠を示すユーザ時間枠情報を取得する時間枠情報取得手段と、前記取得されたユーザ時間枠情報と、前記取得された各前記店舗の店舗情報に基づいて、当該ユーザ時間枠情報に示される時間枠内に前記ユーザが利用可能な前記店舗の組合せを決定する店舗組合せ決定手段と、前記決定された組合せにおける前記店舗の提供情報を表示させる表示制御手段と、前記決定された組合せにおける前記店舗の前記提供情報の利用を認識する利用認識手段と、前記認識された利用の時刻と前記時間枠とから前記時間枠における残り時間を算出する残り時間算出手段と、を備え、前記店舗組合せ決定手段は、前記残り時間を算出するタイミングで当該残り時間内に前記ユーザが利用可能な前記店舗の組合せを再決定することを特徴とする。
【手続補正１８】
【補正対象書類名】明細書
【補正対象項目名】００２８
【補正方法】変更
【補正の内容】
【００２８】
請求項１２に記載の発明は、端末装置に含まれるコンピュータを、商品又はサービスを提供する店舗の位置情報、当該店舗の利用時間情報、及び当該店舗の属性情報のうち少なくとも何れか一つを含む店舗情報を、通信手段を介してサーバ装置から店舗毎に取得する店舗情報取得手段、ユーザの空き時間枠を示すユーザ時間枠情報を取得する時間枠情報取得手段、前記取得されたユーザ時間枠情報と、前記取得された各前記店舗の店舗情報に基づいて、当該ユーザ時間枠情報に示される時間枠内に前記ユーザが利用可能な前記店舗の組合せを決定する店舗組合せ決定手段、前記決定された組合せにおける前記店舗の提供情報を表示させる表示制御手段、前記決定された組合せにおける前記店舗の前記提供情報の利用を認識する利用認識手段、及び、前記認識された利用の時刻と前記時間枠とから前記時間枠における残り時間を算出する残り時間算出手段として機能させ、前記店舗組合せ決定手段が前記残り時間を算出するタイミングで当該残り時間内に前記ユーザが利用可能な前記店舗の組合せを再決定するように機能させることを特徴とする端末用プログラム（コンピュータ読み取り可能なプログラム）である。
【手続補正１９】
【補正対象書類名】明細書
【補正対象項目名】００２９
【補正方法】削除
【補正の内容】
【手続補正２０】
【補正対象書類名】明細書
【補正対象項目名】００３０
【補正方法】削除
【補正の内容】
【手続補正２１】
【補正対象書類名】明細書
【補正対象項目名】００３１
【補正方法】削除
【補正の内容】
【国際調査報告】
2011115010.tif 000013
2011115010.tif 000014
2011115010.tif 000015
2011115010.tif 000016